(57)【要約】【課題】画像情報の書き出し位置の主走査方向でのずれを抑制でき、これにより、被走査面に書き込まれる画像情報の主走査方向における位置精度を向上させることができる光走査装置及びそれを備えた画像形成装置を提供する。【解決手段】単一のビームをそれぞれ出射する複数の光源ＬＳ１〜ＬＳ４と、単一の回転多面鏡３２０ａとを備え、回転多面鏡３２０ａの一つの反射面３２１に向けてビームＬ１〜Ｌ４を反射面３２１への回転方向Ｅにおける互いに異なる入射角度θ１〜θ４でそれぞれ入射させる構成とされ、偏向走査された反射面３２１からの反射ビームＲ１〜Ｒ４を単一のビーム検知部３４０ａによって検出しつつ被走査面Ｆ上に画像情報を書き込む光走査装置３００ａは、反射ビームＲ１〜Ｒ４に対応する画像情報の被走査面Ｆへの書き出し開始位置Ｑ１〜Ｑ４を、予め設定した規定書き出し位置に補正する。【選択図】図１２
2013045017.tif 000002
【特許請求の範囲】
【請求項１】
単一のビームをそれぞれ出射する複数の光源と、単一の回転多面鏡とを備え、前記回転多面鏡の一つの反射面に向けて前記ビームを前記反射面への前記回転多面鏡の回転方向における互いに異なる入射角度でそれぞれ入射させる構成とされ、前記回転多面鏡の回転によって偏向走査された前記反射面からの複数の反射ビームを単一のビーム検知部によって検出しつつ被走査面上に画像情報を書き込む光走査装置であって、
前記複数の反射ビームに対応する前記画像情報の前記被走査面への書き出し開始位置を、予め設定した規定書き出し位置に補正することを特徴とする光走査装置。
【請求項２】
請求項１に記載の光走査装置であって、
前記複数の反射ビームのうち何れか一つの反射ビームを基準とした基準反射ビームの前記ビーム検知部による検出タイミングに対応する前記画像情報の基準書き出し開始タイミングに対して前記基準反射ビーム以外の反射ビームに対応する前記画像情報の書き出し開始タイミングを設定することを特徴とする光走査装置。
【請求項３】
請求項２に記載の光走査装置であって、
前記回転方向において前記複数の光源のうち前記基準反射ビームに対応する光源の位置に対する前記基準反射ビーム以外の反射ビームに対応する光源の位置の変位量に基づいて前記基準書き出し開始タイミングに対する前記書き出し開始タイミングの時間差を設定することを特徴とする光走査装置。
【請求項４】
請求項３に記載の光走査装置であって、
前記変位量は、前記回転多面鏡の同一の回転位置において前記基準反射ビームの前記被走査面における基準走査位置に対する前記基準反射ビーム以外の反射ビームの前記被走査面における走査位置の走査距離の変位量であり、前記時間差は、前記走査距離の変位量と前記反射ビームを前記被走査面に走査する走査速度とから算出した時間差であることを特徴とする光走査装置。
【請求項５】
請求項１に記載の光走査装置であって、
前記複数の反射ビームの前記ビーム検知部による複数の検出タイミングにそれぞれ対応する複数の前記画像情報の書き出し開始タイミングをそれぞれ設定することを特徴とする光走査装置。
【請求項６】
請求項１から請求項５までの何れか１項に記載の光走査装置であって、
前記ビームを前記反射面への前記回転多面鏡の回転軸線方向における互いに異なる入射角度でそれぞれ入射させる構成とされており、
前記規定書き出し位置は、前記複数の反射ビームに対応する前記画像情報の前記被走査面への書き出し開始位置を主走査方向で一致させた書き出し位置であることを特徴とする光走査装置。
【請求項７】
請求項６に記載の光走査装置であって、
前記複数の光源は、前記回転方向及び前記回転軸線方向に対する斜め方向に沿って並設されていることを特徴とする光走査装置。
【請求項８】
請求項１から請求項５までの何れか１項に記載の光走査装置であって、
前記ビームを前記反射面への前記回転多面鏡の回転軸線方向における実質的に同一の入射角度でそれぞれ入射させる構成とされており、
隣り合う前記反射ビームに対応する前記画像情報の前記被走査面への書き出し開始位置は、前記被走査面での隣り合うビームスポットが接触又は前記被走査面での隣り合うビームスポットの一部が重複するように主走査方向にずらした位置であることを特徴とする光走査装置。
【請求項９】
請求項８に記載の光走査装置であって、
前記複数の光源は、前記回転方向に沿って並設されていることを特徴とする光走査装置。
【請求項１０】
請求項１から請求項９までの何れか１項に記載の光走査装置であって、
前記複数の光源は、光出射部から前記反射面の反射位置までの直線距離が何れも実質的に同一距離となる構成とされていることを特徴とする光走査装置。
【請求項１１】
請求項１０に記載の光走査装置であって、
前記複数の光源は、隣り合う前記ビーム間の前記回転方向における相対角度が実質的に同一角度となる構成とされていることを特徴とする光走査装置。
【請求項１２】
請求項１から請求項１１までの何れか１項に記載の光走査装置であって、
前記複数の光源と前記回転多面鏡との間の光学系において前記ビームを反射させる反射部材を持たない構成とされていることを特徴とする光走査装置。
【請求項１３】
請求項１から請求項１２までの何れか１項に記載の光走査装置であって、
前記複数の光源は、それぞれの前記ビームを同一平面上に出射する構成とされていることを特徴とする光走査装置。
【請求項１４】
請求項１３に記載の光走査装置であって、
前記複数の光源は、複数の色毎にそれぞれ設けられており、
前記複数の色毎に設けられた前記複数の光源からの前記ビームを前記回転多面鏡によって偏向走査し、偏向走査された前記反射面からの前記複数の色毎の前記複数の反射ビームを前記複数の色毎にそれぞれ設けられた前記ビーム検知部によって検出しつつ前記被走査面上に前記画像情報を書き込むことを特徴とする光走査装置。
【請求項１５】
請求項１４に記載の光走査装置であって、
前記複数の色毎に設けられた前記複数の光源は、前記複数の色毎の前記同一平面が互いに平行となる構成とされていることを特徴とする光走査装置。
【請求項１６】
請求項１３から請求項１５までの何れか１項に記載の光走査装置であって、
前記複数の光源は、前記同一平面間の間隔を前記回転多面鏡の回転軸線方向に位置調整可能とされていることを特徴とする光走査装置。
【請求項１７】
請求項１３から請求項１６までの何れか１項に記載の光走査装置であって、
前記複数の光源は、前記反射面の反射位置を中心にそれぞれ位置調整可能とされていることを特徴とする光走査装置。
【請求項１８】
請求項１３から請求項１６までの何れか１項に記載の光走査装置であって、
前記複数の光源を一体構造とした光源ユニットを備え、
前記光源ユニットは、前記反射面の反射位置を中心に一体的に位置調整可能とされていることを特徴とする光走査装置。
【請求項１９】
請求項１７又は請求項１８に記載の光走査装置であって、
前記光源ユニットは、前記反射面の反射位置を中心とする前記同一平面に沿った周方向に移動可能とされていることを特徴とする光走査装置。
【請求項２０】
請求項１７から請求項１９までの何れか１項に記載の光走査装置であって、
前記光源ユニットは、前記反射面の反射位置を中心とする前記同一平面に直交する平面に沿った周方向に移動可能とされていることを特徴とする光走査装置。
【請求項２１】
請求項１から請求項２０までの何れか１項に記載の光走査装置を有する画像形成部を備え、前記画像形成部は、前記光走査装置を用いて画像を形成することを特徴とする画像形成装置。
【発明の詳細な説明】
【技術分野】
【０００１】
本発明は、デジタル複写機やレーザプリンタ、ファクシミリ装置等の画像形成装置に適用できる光走査装置、特に、単一の回転多面鏡の反射面に向けて複数のビームを前記反射面への互いに異なる入射角度でそれぞれ入射させ、前記回転多面鏡の回転によって偏向走査された前記反射面からの複数の反射ビームを検出しつつ被走査面上に画像情報を書き込む光走査装置及び画像形成装置に関する。
【背景技術】
【０００２】
光走査装置は、従来からデジタル複写機やレーザプリンタ、ファクシミリ装置等の画像形成装置に搭載され、これらの画像形成装置における光書き込み手段として広く利用されている。
【０００３】
光走査装置を備えた画像形成装置では、例えば、電子写真方式の画像形成プロセスにより画像形成する場合、被走査体として作用する感光体等の像担持体の表面（被走査面）を帯電させ、その帯電域を画像情報に基づいて、光走査装置において光源からのビームを変調させながら回転多面鏡（ポリゴンミラーともいう）によって主走査方向にライン単位で像担持体の被走査面に偏向走査することで、静電潜像を形成し（書き込み）、現像剤を用いて該静電潜像を現像してトナー像を形成し、このトナー像を中間転写体や記録材等の被転写体に転写し、該被転写体が中間転写体のときはさらに記録材に転写し定着させ、該被転写体が記録材のときはそのまま定着させる。
【０００４】
また、近年、画像形成装置の開発に伴い、画像形成が高速で、かつ、多色（カラー）画像を形成できる多色画像形成装置が多く普及してきている。
【０００５】
多色画像形成装置としては、高速化を実現するために、複数色用の（例えば４色用の）画像形成ステーションが記録シートの搬送方向に沿って並設されることにより、記録シートを１度通すだけで記録シート上に多色画像を形成することができるタンデム型の多色画像形成装置が主流となってきている。
【０００６】
タンデム型の多色画像形成装置では、各色の画像形成ステーションにおいて、互いに異なる色（例えばＣ：シアン，Ｍ：マゼンタ，Ｙ：イエロー，Ｋ：ブラック）の画像に対応する各色用の静電潜像を各色用の像担持体にそれぞれ形成し、形成した各色用の静電潜像を各色用の現像剤によって各色のトナー像にそれぞれ顕像化（現像）し、顕像化した各色のトナー像を記録シート上又は中間転写体上に重ね転写してカラー画像のトナー像を得る。顕像化した各色のトナー像を中間転写体上に重ね転写する場合には、さらに、中間転写体上に重ね転写したカラー画像のトナー像を記録シートに転写する。
【０００７】
このような画像形成装置において、回転多面鏡による偏向走査を制御するビーム走査制御に用いられる画像情報の書き出し開始位置の検出は、通常、回転駆動される回転多面鏡の反射面にビームを入射させ、該反射面を反射して偏向走査された反射ビームをビーム検知（Ｂｅａｍ  Ｄｅｔｅｃｔ：ＢＤ）部で検知することによって行われる。
【０００８】
また、画像形成（印刷）される画像の高解像度化や印刷速度の高速化が要求される画像形成装置では、光走査装置において、像担持体への副走査方向における隣接する画像情報の書き込みを同時に行えるように、半導体レーザ等の複数の発光素子を１チップ化した光源からの複数のビームをそれぞれ出射するマルチビーム方式の光源が使用されることもある。
【０００９】
しかしながら、マルチビーム方式の光源は、１チップに搭載される発光素子の数が増えるに従い、コストが高くつくという問題がある。よって、コストを低く抑えつつ高解像度化や高速化を実現する光走査装置が要求されている。
【００１０】
例えば、特許文献１には、各レーザ光源装置における単一の半導体レーザ（光源）から出射されたレーザビームの回転多面鏡に対する回転方向の入射角度を互いに異ならせて、単一のビーム検知部による各レーザビームの検知信号出力を時間的に分離することにより、各半導体レーザのレーザビーム毎の同期検知信号を得ることが開示されている。
【先行技術文献】
【特許文献】
【００１１】
【特許文献１】特開２００１−１２５０１９号公報
【発明の概要】
【発明が解決しようとする課題】
【００１２】
ところが、特許文献１に記載のような従来の光走査装置では、次のような不都合がある。
【００１３】
図１５は、単一の回転多面鏡の反射面に向けて複数のビームを回転多面鏡の反射面への回転方向における互いに異なる入射角度でそれぞれ入射させ、回転多面鏡の回転によって偏向走査された反射面からの複数の反射ビームを単一のビーム検知部によって検出しつつ被走査面Ｆ上に画像情報を書き込む従来の光走査装置によって被走査面Ｆ上に画像情報を書き込む際に発生する不都合を説明するための斜視図である。
【００１４】
従来の光走査装置では、各反射ビームの同期信号を時間的に分離して各反射ビーム毎に同期信号を得ることができるものの、その反面、図１５に示すように、各反射ビームＲ１，Ｒ２，Ｒ３，Ｒ４の被走査面Ｆへの主走査方向Ｘにおける走査位置Ｑ１，Ｑ２，Ｑ３，Ｑ４が互いに異なってしまうため、各反射ビームＲ１，Ｒ２，Ｒ３，Ｒ４のうち何れかの反射ビームのビーム検知部（図示せず）による検出タイミングで他の反射ビームに対応する画像情報の書き出しを行うと、副走査方向Ｙにおける画像情報の書き出し位置が主走査方向Ｘにずれて被走査面Ｆに書き込まれることになり、これにより、画像情報の主走査方向Ｘにおける位置精度が悪化するという課題がある。
【００１５】
例えば、図１５に示す例において、反射ビームＲ４の検出タイミングで他の反射ビームＲ１，Ｒ２，Ｒ３に対応する画像情報の書き出しを行うと、反射ビームＲ１，Ｒ２，Ｒ３に対応する画像情報の書き出しが、反射ビームＲ４に対応する画像情報の書き出しよりも早くなってしまう。また、反射ビームＲ２の検出タイミングで他の反射ビームＲ１，Ｒ３，Ｒ４に対応する画像情報の書き出しを行うと、反射ビームＲ１に対応する画像情報の書き出しが、反射ビームＲ２に対応する画像情報の書き出しよりも早くなる一方、反射ビームＲ３，Ｒ４に対応する画像情報の書き出しが、反射ビームＲ２に対応する画像情報の書き出しよりも遅くなってしまう。反射ビームＲ１，Ｒ３の検出タイミングも同様に説明することができる。
【００１６】
そこで、本発明は、単一の回転多面鏡の反射面に向けて複数のビームを前記反射面への前記回転多面鏡の回転方向における互いに異なる入射角度でそれぞれ入射させ、前記回転多面鏡の回転によって偏向走査された前記反射面からの複数の反射ビームを単一のビーム検知部によって検出しつつ被走査面上に画像情報を書き込む光走査装置であって、前記画像情報の書き出し位置の主走査方向でのずれを抑制でき、これにより、前記被走査面に書き込まれる前記画像情報の主走査方向における位置精度を向上させることができる光走査装置及びそれを備えた画像形成装置を提供することを目的とする。
【課題を解決するための手段】
【００１７】
本発明は、前記課題を解決するために、単一のビームをそれぞれ出射する複数の光源と、単一の回転多面鏡とを備え、前記回転多面鏡の一つの反射面に向けて前記ビームを前記反射面への前記回転多面鏡の回転方向における互いに異なる入射角度でそれぞれ入射させる構成とされ、前記回転多面鏡の回転によって偏向走査された前記反射面からの複数の反射ビームを単一のビーム検知部によって検出しつつ被走査面上に画像情報を書き込む光走査装置であって、前記複数の反射ビームに対応する前記画像情報の前記被走査面への書き出し開始位置を、予め設定した規定書き出し位置に補正することを特徴とする光走査装置を提供する。また、本発明は、前記本発明に係る光走査装置を有する画像形成部を備え、前記画像形成部は、前記光走査装置を用いて画像を形成することを特徴とする画像形成装置も提供する。
【００１８】
本発明によれば、前記複数の反射ビームに対応する前記画像情報の前記被走査面への書き出し開始位置を前記規定書き出し位置に補正するので、前記画像情報の書き出し位置の主走査方向でのずれを抑制でき、これにより、前記被走査面に書き込まれる前記画像情報の主走査方向における位置精度を向上させることが可能となる。
【００１９】
本発明において、前記複数の反射ビームのうち何れか一つの反射ビームを基準とした基準反射ビームの前記ビーム検知部による検出タイミングに対応する前記画像情報の基準書き出し開始タイミングに対して前記基準反射ビーム以外の反射ビームに対応する前記画像情報の書き出し開始タイミングを設定する態様を例示できる。
【００２０】
この特定事項では、前記複数の反射ビームのうち何れか一つの反射ビームを基準とした前記基準反射ビームの前記ビーム検知部による検出タイミングを利用するので、検出する反射ビームの数が少ない分、前記ビーム検知部による誤検出を少なくすることができ、それだけ精度よく前記補正を行うことが可能となる。
【００２１】
本発明において、前記回転方向において前記複数の光源のうち前記基準反射ビームに対応する光源の位置に対する前記基準反射ビーム以外の反射ビームに対応する光源の位置の変位量に基づいて前記基準書き出し開始タイミングに対する前記書き出し開始タイミングの時間差を設定する態様を例示できる。
【００２２】
この特定事項では、前記変位量に基づいて前記基準書き出し開始タイミングに対する前記書き出し開始タイミングの時間差を設定するので、簡単にかつ容易に前記補正を行うことが可能となる。
【００２３】
前記変位量としては、例えば、前記複数の光源のうち前記基準反射ビームに対応する光源に対する前記基準反射ビーム以外の反射ビームに対応する光源の前記回転方向における相対位置の変位量、具体的には、前記回転多面鏡の同一の回転位置において前記基準反射ビームの前記被走査面における基準走査位置に対する前記基準反射ビーム以外の反射ビームの前記被走査面における走査位置の走査距離の変位量、より具体的には、前記複数のビームのうち隣り合うビーム間の相対角度と前記複数の光源の光出射部から前記反射面の反射位置までの直線距離とを掛け合わせた弧の長さの変位量等を例示できる。
【００２４】
本発明において、前記変位量が前記回転多面鏡の同一の回転位置において前記基準反射ビームの前記被走査面における基準走査位置に対する前記基準反射ビーム以外の反射ビームの前記被走査面における走査位置の走査距離の変位量である場合、前記時間差を、前記走査距離の変位量と前記反射ビームを前記被走査面に走査する走査速度とから算出した時間差とすることができる。
【００２５】
この特定事項では、前記時間差を前記走査距離の変位量と前記走査速度とから容易に算出することが可能となる。
【００２６】
本発明において、前記複数の反射ビームの前記ビーム検知部による複数の検出タイミングにそれぞれ対応する複数の前記画像情報の書き出し開始タイミングをそれぞれ設定する態様を例示できる。
【００２７】
この特定事項では、前記複数の反射ビームの前記ビーム検知部による複数の検出タイミングにそれぞれ対応する複数の前記画像情報の書き出し開始タイミングをそれぞれ設定するので、前記変位量を利用して前記時間差を算出しなくてもよく、それだけ簡単な制御構成で前記補正を行うことが可能となる。
【００２８】
本発明において、前記ビームを前記反射面への前記回転多面鏡の回転軸線方向における互いに異なる入射角度でそれぞれ入射させる構成とされている態様を例示できる。
【００２９】
この特定事項では、前記被走査面への副走査方向における隣接する複数の前記画像情報の書き込みを同時に行うことができ、それだけ副走査方向で高解像度に或いは高速に前記画像情報を書き込むことができる。
【００３０】
この場合、前記規定書き出し位置は、前記複数の反射ビームに対応する前記画像情報の前記被走査面への書き出し開始位置を主走査方向で一致させた書き出し位置である態様を例示できる。
【００３１】
この特定事項では、副走査方向における前記画像情報の書き出し位置の主走査方向でのずれを抑制することが可能となる。
【００３２】
本発明において、前記複数の光源は、前記回転方向及び前記回転軸線方向に対する斜め方向に沿って並設されている態様を例示できる。
【００３３】
この特定事項では、前記ビームを前記反射面への前記回転軸線方向における互いに異なる入射角度でそれぞれ入射させる構成を容易に実現することが可能となる。
【００３４】
本発明において、前記ビームを前記反射面への前記回転多面鏡の回転軸線方向における実質的に同一の入射角度でそれぞれ入射させる構成とされている態様を例示できる。
【００３５】
ここで、前記回転多面鏡の回転軸線方向における「実質的に」同一の入射角度とは、前記回転多面鏡の回転軸線方向における同一の入射角度の場合だけでなく、略同一の入射角度の場合も含む概念である。
【００３６】
この特定事項では、前記被走査面への主走査方向における隣接する複数の前記画像情報の書き込みを同時に行うことができ、それだけ主走査方向で高解像度に前記画像情報を書き込むことができる。
【００３７】
この場合、隣り合う前記反射ビームに対応する前記画像情報の前記被走査面への書き出し開始位置は、前記被走査面での隣り合うビームスポットが接触又は前記被走査面での隣り合うビームスポットの一部が重複するように主走査方向にずらした位置である態様を例示できる。
【００３８】
この特定事項では、主走査方向における前記画像情報の書き出し位置の主走査方向でのずれを抑制することが可能となる。
【００３９】
本発明において、前記複数の光源は、前記回転方向に沿って並設されている態様を例示できる。
【００４０】
この特定事項では、前記ビームを前記反射面への前記回転多面鏡の回転軸線方向における実質的に同一の入射角度でそれぞれ入射させる構成を容易に実現することが可能となる。
【００４１】
本発明において、前記複数の光源は、光出射部から前記反射面の反射位置までの直線距離が何れも実質的に同一距離となる構成とされている態様を例示できる。
【００４２】
ここで、前記反射面の反射位置までの直線距離が「実質的に」同一距離とは、前記反射面の反射位置までの直線距離が同一距離の場合だけでなく、略同一距離の場合も含む概念である。
【００４３】
この特定事項では、前記直線距離が何れも実質的に同一距離とされているので、前記複数の光源の配列構成を容易にすることができる上、前記変位量を容易に算出することが可能となる。
【００４４】
本発明において、前記複数の光源は、隣り合う前記ビーム間の前記回転方向における相対角度が実質的に同一角度となる構成とされている態様を例示できる。
【００４５】
ここで、前記回転方向における相対角度が「実質的に」同一角度とは、前記回転方向における相対角度が同一角度の場合だけでなく、略同一角度の場合も含む概念である。
【００４６】
この特定事項では、隣り合う前記ビーム間の前記回転方向における相対角度が実質的に同一角度とされているので、前記複数の光源の配列構成をさらに容易にすることができる上、前記複数の反射ビームの前記被走査面における走査位置間の距離を容易に実質的に同一距離にすることができ、これにより、前記変位量をさらに容易に算出することが可能となる。
【００４７】
本発明において、前記複数の光源と前記回転多面鏡との間の光学系において前記ビームを反射させる反射部材を持たない構成とされている態様を例示できる。
【００４８】
この特定事項では、前記複数の光源と前記回転多面鏡との間でミラー等の反射部材を設けない入射光学系の構造とすることができ、これにより、前記入射光学系の構造を簡素化することが可能となり、それだけ、部品コストを低く抑えることができる。
【００４９】
本発明において、前記複数の光源は、それぞれの前記ビームを同一平面上に出射する構成とされている態様を例示できる。
【００５０】
かかる構成として、前記複数の光源は、それぞれの前記ビームのビーム領域内に前記同一平面が含まれるように該ビームを該同一平面に沿って出射する構成を例示できる。
【００５１】
この特定事項では、前記複数の光源がそれぞれの前記ビームを同一平面上に出射する構成とされているので、前記複数の光源の配列構成をさらに容易にすることが可能となる。
【００５２】
本発明において、前記複数の光源は、複数の色毎にそれぞれ設けられており、前記複数の色毎に設けられた前記複数の光源からの前記ビームを前記回転多面鏡によって偏向走査し、偏向走査された前記反射面からの前記複数の色毎の前記複数の反射ビームを前記複数の色毎にそれぞれ設けられた前記ビーム検知部によって検出しつつ前記被走査面上に前記画像情報を書き込む態様を例示できる。
【００５３】
この特定事項では、前記複数の色毎に設けられた前記複数の光源からの前記ビームを前記回転多面鏡によって偏向走査するので、モノクロの画像形成だけでなく、カラーの画像形成にも対応させることが可能となる。
【００５４】
本発明において、前記複数の色毎に設けられた前記複数の光源は、前記複数の色毎の前記同一平面が互いに平行となる構成とされている態様を例示できる。
【００５５】
この特定事項では、前記複数の色毎の前記同一平面が互いに平行とされているので、前記複数の光源を前記各色毎に配列する配列構成を容易にすることが可能となる。
【００５６】
本発明において、前記複数の光源は、前記同一平面を前記回転多面鏡の回転軸線方向に位置調整可能とされている態様を例示できる。
【００５７】
この特定事項では、前記被走査面への副走査方向における前記画像情報の書き込み位置を調整することができる。
【００５８】
本発明において、前記複数の光源は、前記反射面の反射位置を中心にそれぞれ位置調整可能とされている態様を例示できる。
【００５９】
この特定事項では、前記複数の光源のそれぞれについて、前記被走査面への前記画像情報の書き込み位置を調整することができる。
【００６０】
本発明において、前記複数の光源を一体構造とした光源ユニットを備え、前記光源ユニットは、前記反射面の反射位置を中心に一体的に位置調整可能とされている態様を例示できる。
【００６１】
この特定事項では、前記複数の光源を一体構造とした前記光源ユニットが前記反射面の前記反射位置を中心に一体的に位置調整可能とされているので、前記被走査面への前記画像情報の書き出し位置の調整を一度に行うことが可能となる。
【００６２】
本発明において、前記光源ユニットは、前記反射面の反射位置を中心とする前記同一平面に沿った周方向に移動可能とされている態様を例示できる。
【００６３】
この特定事項では、前記光源ユニットが前記反射面の前記反射位置を中心とする前記同一平面に沿った周方向に移動可能とされているので、前記回転方向における入射角度に対する前記複数の光源の位置調整を一度に行うことができ、これにより、前記被走査面への主走査方向における前記画像情報の書き出し位置を一度に調整することができる。
【００６４】
本発明において、前記光源ユニットは、前記反射面の反射位置を中心とする前記同一平面に直交する平面に沿った周方向に移動可能とされている態様を例示できる。
【００６５】
この特定事項では、前記光源ユニットが前記反射面の前記反射位置を中心とする前記同一平面に直交する平面に沿った周方向に移動可能とされているので、前記回転多面鏡の回転軸線方向における入射角度に対する前記複数の光源の位置調整を一度に行うことができ、これにより、前記被走査面への副走査方向における前記画像情報の書き出し位置を一度に調整することができる。
【発明の効果】
【００６６】
以上説明したように、本発明によると、前記複数の反射ビームに対応する前記画像情報の前記被走査面への書き出し開始位置を前記規定書き出し位置に補正することで、前記画像情報の書き出し位置の主走査方向でのずれを抑制でき、これにより、前記被走査面に書き込まれる前記画像情報の主走査方向における位置精度を向上させることができる。
【図面の簡単な説明】
【００６７】
【図１】第１実施形態に係る光走査装置を適用したモノクロ用の画像形成装置を概略的に示す断面図である。
【図２】第２実施形態に係る光走査装置を適用したカラー用の画像形成装置を概略的に示す断面図である。
【図３】図１に示す画像形成装置における第１実施形態に係る光走査装置の概略構成の一例を示す斜視図である。
【図４】第１実施形態に係る光走査装置における複数の光源からのレーザビームがポリゴンミラーの反射面を反射して被走査面に照射される状態を模式的に表した図であって、ポリゴンミラーの回転軸線方向から視た平面図である。
【図５】第１実施形態に係る光走査装置における複数の光源からのレーザビームがポリゴンミラーの反射面を反射して被走査面に照射される状態を模式的に表した図であって、ポリゴンミラーの径方向から視た側面図である。
【図６】第１実施形態に係る光走査装置における複数の光源を配列した配列構成の一例を光源の光出射部とは反対側の方向から視た概略平面図である。
【図７】第１実施形態に係る光走査装置においてレーザビームを同一平面上に出射する構成の一例を示す概略斜視図である。
【図８】図２に示す画像形成装置における第２実施形態に係る光走査装置における光源部及び入射光学系部分の概略構成の一例を示す斜視図である。
【図９】第２実施形態に係る光走査装置を感光体ドラムとの位置関係と共に示す概略側面図である。
【図１０】第１実施形態に係る光走査装置を備えた画像形成装置における制御部のシステム構成を概略的に示すブロックである。
【図１１】第２実施形態に係る光走査装置を備えた画像形成装置における制御部のシステム構成を概略的に示すブロックである。
【図１２】第１検出制御により被走査面への画像情報の書き出し開始タイミングを補正する補正例を示すタイミングチャートである。
【図１３】第２検出制御により被走査面への画像情報の書き出し開始タイミングを補正する補正例を示すタイミングチャートである。
【図１４】回転軸線方向における入射角度を同一又は略同一とし、隣り合う反射ビームに対応する画像情報の被走査面へ書き出し開始位置を主走査方向にずらした状態を示す概略斜視図である。
【図１５】従来の光走査装置によって被走査面上に画像情報を書き込む際に発生する不都合を説明するための斜視図である。
【発明を実施するための形態】
【００６８】
以下、本発明に係る実施の形態について図面を参照しながら説明する。なお、以下の実施の形態は、本発明を具体化した例であって、本発明の技術的範囲を限定する性格のものではない。
【００６９】
先ず、第１実施形態に係る光走査装置３００ａを適用したモノクロ用の画像形成装置１００の全体の構成について説明した後、第２実施形態に係る光走査装置３００ｂを適用したカラー用の画像形成装置Ｄの全体の構成について説明し、さらに第１実施形態に係る光走査装置３００ａ及び第２実施形態に係る光走査装置３００ｂについて詳述する。
【００７０】
（第１実施形態）
図１は、第１実施形態に係る光走査装置３００ａを適用したモノクロ用の画像形成装置１００を概略的に示す断面図である。
【００７１】
図１に示す画像形成装置１００は、原稿シート搬送部１０１、画像読取部１０２、画像形成部１０３、記録シート搬送部１０４及び給紙部１０５を備えており、例えば、複写機などの画像形成装置とされている。画像形成装置１００は、画像読取部１０２又は外部から受信した画像データに応じて、記録用紙等の記録シートＳＴにモノクロ画像を形成するようになっている。
【００７２】
原稿シート搬送部１０１は、セットされた原稿を画像読取部１０２に搬送するものであり、自動原稿送り装置１０１ａを含んでいる。
【００７３】
画像読取部１０２は、原稿載置台１１１に載置された原稿（図示せず）や自動原稿送り装置１０１ａにて搬送される原稿（図示せず）の画像を読み取って、画像データに変換し、変換した画像データを画像形成部１０３に出力する。なお、画像読取部１０２は、画像データに対して、マイクロコンピュータ等の制御回路により各種の画像処理を施してから画像形成部１０３に出力することができる。
【００７４】
画像形成部１０３は、画像データに基づいて形成された原稿の画像を記録シートＳＴに記録する。画像形成部１０３は、感光体ドラム１２１、帯電器１２２、光走査装置３００ａ、現像器１２４、転写ユニット１２５、クリーニングユニット１２６及び定着装置１２７を備えている。
【００７５】
感光体ドラム１２１は、表面が有機材料で形成された有機感光体とされており、表面が帯電器１２２による高電圧の印加によって均一に帯電されるようになっている。
【００７６】
帯電器１２２は、感光体ドラム１２１の表面を所定の電位に均一に帯電させるための帯電手段であり、本第１実施形態では、チャージャ型のものとされている。なお、帯電器１２２は、感光体ドラム１２１に接触するローラ型やブラシ型のものであってもよい。
【００７７】
光走査装置３００ａは、本第１実施形態では、レーザスキャニングユニット（ＬＳＵ）とされている。光走査装置３００ａは、入力された画像データに応じて変調されたレーザビームを、所定方向（図中矢印Ｂ方向）に回転した状態で帯電器１２２にて均一に帯電された感光体ドラム１２１の表面を偏向走査することで、感光体ドラム１２１の表面に入力画像データに応じた静電潜像を形成する（書き込む）ものである。なお、光走査装置３００ａについては、のちほど詳しく説明する。
【００７８】
現像器１２４は、トナー（図示せず）を感光体ドラム１２１の表面に供給して、感光体ドラム１２１の表面に形成された静電潜像を現像（顕像化）し、トナー像（可視像）を感光体ドラム１２１の表面に形成するものである。
【００７９】
転写ユニット１２５は、感光体ドラム１２１の表面におけるトナー像を記録シート搬送部１０４により搬送されてきた記録シートＳＴに転写する。転写ユニット１２５は、転写ベルト１３１、駆動ローラ１３２、従動ローラ１３３及び弾性導電性ローラ１３４を備えており、転写ベルト１３１をこれらのローラ１３２〜１３４及び他のローラに張架して回転させるようになっている。
【００８０】
転写ベルト１３１は、これらのローラの回転によって表面が移動することで、その表面に載せられた記録シートＳＴを搬送するようになっている。転写ベルト１３１は、所定の抵抗値（例えば、１×１０9Ω／ｃｍ〜１×１０13Ω／ｃｍ）を有している。また、感光体ドラム１２１と転写ベルト１３１とが接触している領域（画像転写部１５７）の近傍には、転写電界を印加するための弾性導電性ローラ１３４が配設されている。
【００８１】
弾性導電性ローラ１３４は、転写ベルト１３１を介して感光体ドラム１２１の表面に押圧されている。これにより、転写ベルト１３１上の記録シートＳＴを感光体ドラム１２１の表面に押し付けることができる。すなわち、転写ユニット１２５では、弾性導電性ローラ１３４が弾性を有することによって、感光体ドラム１２１と転写ベルト１３１との接触領域（画像転写部１５７）が線接触でなく、所定の幅（転写ニップと称される）を有する面接触となる。これにより、搬送される記録シートＳＴへの転写効率の向上させることができる。
【００８２】
弾性導電性ローラ１３４には、感光体ドラム１２１の表面におけるトナー像の電荷とは逆極性の転写電界が印加される。この逆極性の転写電界により感光体ドラム１２１の表面のトナー像を転写ベルト１３１上の記録用紙ＳＴに転写することができる。例えば、トナー像がマイナス極性の電荷を帯びている場合は、弾性導電性ローラ１３４に印加される転写電界の極性がプラス極性とされる。
【００８３】
転写ベルト１３１のシート搬送方向において転写領域の下流側には、感光体ドラム１２１との接触部を通過する際に印加された電圧により帯電した記録シートＳＴを除電し、次工程への搬送をスムーズに行うための除電ローラ１５４が配設されている。除電ローラ１５４は、転写ベルト１３１の背面（記録シートＳＴの搬送面とは反対側の面）に接触配置されている。
【００８４】
また、転写ユニット１２５には、転写ベルト１３１上のトナーを除去するベルトクリーニングユニット１５６及び転写ベルト１３１の除電を行う除電機構１５５が配置されている。除電機構１５５は、転写ベルト１３１を接地する手法、若しくは転写ベルト１３１に対して積極的に転写電界の極性とは逆極性を印加する手法がある。
【００８５】
クリーナユニット１２６は、現像、転写後に感光体ドラム１２１の表面に残留したトナーを除去して回収するクリーニングブレード１２６Ａを有している。
【００８６】
定着ユニット１２７は、記録シートＳＴを加熱及び加圧して、記録シートＳＴ上のトナー像を加熱定着させるものである。詳しくは、定着ユニット１２７は、加熱ローラ１３５及び加圧ローラ１３６を備えている。加熱ローラ１３５の外周面には、記録シート剥離爪（図示省略）、サーミスター等のローラ表面温度検出部材（図示省略）及びローラ表面クリーニング部材（図示省略）が配置されている。加熱ローラ１３５内側には、加熱ローラ１３５表面を所定温度（定着温度：概ね１６０〜２００℃）に加熱するための熱源１６７が設けられている。また、加熱ローラ１３５に対して加圧ローラ１３６が所定の荷重で圧接されるように、加圧ローラ１３６の両端に図示しない荷重バネ等の圧接部材が配置されている。加圧ローラ１３６の外周面には加熱ローラ１３５の外周面と同様に、記録シート剥離爪（図示省略）、ローラ表面クリーニング部材１６６が配置されている。
【００８７】
定着ユニット１２７は、加熱ローラ１３５と加圧ローラ１３６との間の圧接部（定着ニップ部と称される）に記録シートＳＴが搬送されてくると、加熱ローラ１３５からの熱と加熱ローラ１３５及び加圧ローラ１３６の圧接力とによって記録シートＳＴ上の未定着トナー像が加熱溶融され加圧されるようになっている。これにより、トナー像を記録シートＳＴ上に定着することができる。
【００８８】
給紙部１０５は、複数の給紙トレイ１５１，…を備えている。給紙トレイ１５１，…は、記録シートＳＴを蓄積しておくためのトレイであり、画像形成装置１００の下方に設けられている。また、給紙トレイ１５１，…は、記録シートＳＴを一枚ずつ引き出すためのピックアップローラを備えており、引き出した記録シートＳＴを、画像形成部３を経て記録シート搬送部１０４の搬送経路１４３へと送り出す。
【００８９】
画像形成装置１００は、高速画像形成処理を目的としているため、各給紙トレイ１５１，…は、例えばＡ４、Ａ３やＢ４等の定型サイズの記録シートＳＴを５００〜１５００枚収容可能な容積が確保されている。
【００９０】
また、画像形成装置１００の側面には、主として不定型サイズ及び／又は少量の記録シートＳＴを供給するための手差しトレイ１５３が設けられている。画像形成装置１００の側面には、さらに、同種又は異なる複数種の記録シートＳＴを多量に収容可能な大容量給紙カセット（ＬＣＣ）１５２が設けられていてもよい。
【００９１】
記録シート搬送路１０４は、給紙部１０５における複数の給紙トレイ１５１，…から画像形成部１０３へ記録シートＳＴを導くものである。記録シート搬送部１０４は、記録シートＳＴを搬送するための搬送経路１４３、レジストローラ１４２、排出ローラ１４６を備えている。搬送経路１４３では、給紙部１０５からの記録シートＳＴを受け取り、記録シートＳＴの先端がレジストローラ１４２に達するまで記録シートを搬送する。レジストローラ１４２は、記録シートＳＴを転写ユニット１２５へと搬送する。排出ローラ１４６は、定着装置１２７でトナー像が定着された記録シートＳＴを排出トレイ１４７へと搬送する。
【００９２】
排出トレイ１４７は、手差しトレイ１５３とは反対側の側面に配置されている。画像形成装置１００は、排出トレイ１４７に代えて、排出した記録シートＳＴの後処理装置（例えば、ステープル、パンチ処理等の後処理装置）や、複数段の排出トレイをオプションとして配置することも可能な構成となっている。
【００９３】
（第２実施形態）
図２は、第２実施形態に係る光走査装置３００ｂを適用したカラー用の画像形成装置Ｄを概略的に示す断面図である。
【００９４】
図２に示す画像形成装置Ｄは、原稿の画像を読み取る原稿読取装置Ｂと、原稿読取装置Ｂにより読み取られた原稿の画像又は外部から受信した画像をカラーもしくは単色で普通紙等の記録シートＳＴに記録形成する装置本体Ａとを備えている。
【００９５】
原稿読取装置Ｂでは、原稿が原稿セットトレイ４１にセットされると、ピックアップローラ４４が原稿表面に押し付けられて回転され、原稿がトレイ４１から引き出され、サバキローラ４５と分離パッド４６間を通過して１枚ずつに分離されてから搬送経路４７へと搬送される。
【００９６】
搬送経路４７では、原稿の先端がレジストローラ４９に当接して、レジストローラ４９と平行に揃えられ、この後に原稿がレジストローラ４９により搬送されて原稿ガイド５１と読取ガラス５２間を通過する。このとき、第１走査部５３の光源からの光が読取ガラス５２を介して原稿表面に照射され、その反射光が読取ガラス５２を介して第１走査部５３に入射し、この反射光が第１及び第２走査部５３，５４のミラーで反射されて結像レンズ５５へと導かれ、結像レンズ５５によって原稿表面の画像がＣＣＤ（Charge Coupled Device）５６上に結像される。ＣＣＤ５６は、原稿表面の画像を読み取り、その画像を示す画像データを出力する。さらに、原稿は、搬送ローラ５７により搬送され、排出ローラ５８を介して原稿排出トレイ５９に排出される。
【００９７】
また、原稿読取装置Ｂは、原稿台ガラス６１上に載置された原稿を読み取ることができる。レジストローラ４９、原稿ガイド５１、原稿排出トレイ５９等の構成部材とそれらよりも上側の部材とは、一体化されたカバー体となっており、原稿読取装置Ｂの背面側で原稿搬送方向に沿った軸線回りに開閉可能に枢支されている。この上側のカバー体が開かれると、原稿台ガラス６１が開放されて、原稿台ガラス６１上に原稿を載置することができる。原稿台ガラス６１上に載置された原稿はカバー体が閉じられることで該カバー体に保持される。そして、原稿読み取りの指示があると、第１及び第２走査部５３，５４が副走査方向に移動されつつ、第１走査部５３によって原稿台ガラス６１上の原稿表面が露光される。原稿表面からの反射光は、第１及び第２走査部５３，５４によって結像レンズ５５へと導かれ、結像レンズ５５によってＣＣＤ５６上に結像され、ここで原稿画像が読み取られる。このとき、第１及び第２走査部５３，５４が相互に所定の速度関係を維持しつつ移動されて、原稿表面→第１及び第２走査部５３，５４→結像レンズ５５→ＣＣＤ５６という反射光の光路の長さが変化しないように第１及び第２走査部５３，５４の位置関係が常に維持され、これによりＣＣＤ５６上での原稿表面の画像の焦点が常に正確に維持される。
【００９８】
こうして読み取られた原稿画像全体は、画像データとして画像形成装置Ｄの装置本体Ａへと送受され、装置本体Ａにおいて画像が記録シートＳＴに形成（記録）される。
【００９９】
一方、画像形成装置Ｄの装置本体Ａは、光走査装置３００ｂ、現像装置２（２ｙ，２ｍ，２ｃ，２ｋ）、静電潜像像担持体として作用する感光体ドラム３（３ｙ，３ｍ，３ｃ，３ｋ）、帯電器５（５ｙ，５ｍ，５ｃ，５ｋ）、クリーナ装置４（４ｙ，４ｍ，４ｃ，４ｋ）、転写部として作用する中間転写ローラ６（６ｙ，６ｍ，６ｃ，６ｋ）を含む中間転写ベルト装置８、定着装置１２、シート搬送装置１８、給紙部として作用する給紙トレイ１０及び排出部として作用するシート排出トレイ１５を備えている。
【０１００】
画像形成装置Ｄの装置本体Ａにおいて扱われる画像データは、イエロー（Ｙ）、マゼンタ（Ｍ）、シアン（Ｃ）、ブラック（Ｋ）の各色を用いたカラー画像に応じたもの、又は単色（例えばブラック）を用いたモノクロ画像に応じたものである。従って、現像装置２（２ｙ，２ｍ，２ｃ，２ｋ）、感光体ドラム３（３ｙ，３ｍ，３ｃ，３ｋ）、帯電器５（５ｙ，５ｍ，５ｃ，５ｋ）、クリーナ装置４（４ｙ，４ｍ，４ｃ，４ｋ）、中間転写ローラ６（６ｙ，６ｍ，６ｃ，６ｋ）は各色に応じた４種類の画像を形成するようにそれぞれ４個ずつ設けられ、それぞれの末尾符号ａ〜ｄのうち、ｙがイエローに、ｍがマゼンタに、ｃがシアンに、ｋがブラックに対応付けられて、４つの画像ステーションが構成されている。以下、図２の説明において末尾符号ｙ，ｍ，ｃ，ｋは省略して説明する。
【０１０１】
感光体ドラム３は、装置本体Ａの上下方向のほぼ中央に配置されている。帯電器５は、感光体ドラム３の表面を所定の電位に均一に帯電させるための帯電手段であり、接触型であるローラ型やブラシ型の帯電器のほか、チャージャ型の帯電器が用いられる。
【０１０２】
光走査装置３００ｂは、ここでは、レーザ光源及び反射ミラーを備えたレーザスキャニングユニット（ＬＳＵ）であり、帯電された感光体ドラム３表面を画像データに応じて露光して、その表面に画像データに応じた静電潜像を形成する。光走査装置３００ｂについては、のちほど詳しく説明する。
【０１０３】
現像装置２は、感光体ドラム３上に形成された静電潜像を（Ｙ，Ｍ，Ｃ，Ｋ）のトナーにより現像する。クリーナ装置４は、現像及び画像転写後に感光体ドラム３表面に残留したトナーを除去及び回収する。
【０１０４】
感光体ドラム３の上方に配置されている中間転写ベルト装置８は、中間転写ローラ６に加えて、中間転写体として作用する中間転写ベルト７、中間転写ベルト駆動ローラ２１、従動ローラ２２、テンションローラ２３及び中間転写ベルトクリーニング装置９を備えている。
【０１０５】
中間転写ベルト駆動ローラ２１、中間転写ローラ６、従動ローラ２２、テンションローラ２３等のローラ部材は、中間転写ベルト７を張架して支持し、中間転写ベルト７を所定の搬送方向（図中矢印Ｃ方向）に周回移動させる。
【０１０６】
中間転写ローラ６は、中間転写ベルト７内側に回転可能に支持され、中間転写ベルト７を介して感光体ドラム３に圧接されており、感光体ドラム３のトナー像を中間転写ベルト７に転写するための転写バイアスが印加される。
【０１０７】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【０１０８】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、記録シートＳＴに対して均一に高電圧を印加することができる。
【０１０９】
画像形成装置Ｄの装置本体Ａは、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【０１１０】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シートＳＴ上に転写される。
【０１１１】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートＳＴに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【０１１２】
また、２次転写装置１１によって中間転写ベルト７上のトナー像が記録シートＳＴ上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、 例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外側から従動ローラ２２に向けて押圧するように中間転写ベルト７に接触している。
【０１１３】
給紙トレイ１０は、記録シートＳＴを格納しておくためのトレイであり、装置本体Ａにおいて記録シートＳＴに画像を形成する画像形成部Ａ１の下側に設けられている。また、画像形成部Ａ１の上側に設けられているシート排出トレイ１５は、印刷済みの記録シートＳＴをフェイスダウンで載置するためのトレイである。
【０１１４】
また、装置本体Ａには、給紙トレイ１０の記録シートＳＴを２次転写装置１１や定着装置１２を経由させてシート排出トレイ１５に送るためのシート搬送装置１８が設けられている。シート搬送装置１８は、Ｓの字形状のシート搬送路Ｓを有し、シート搬送路Ｓに沿って、ピックアップローラ１６、各搬送ローラ１３、レジスト前ローラ１９、レジストローラ１４、定着装置１２及び排出ローラ１７等の搬送部材を配置したものである。
【０１１５】
ピックアップローラ１６は、給紙トレイ１０のシート搬送方向下流側端部に設けられ、給紙トレイ１０から記録シートＳＴを１枚ずつシート搬送路Ｓに供給する呼び込みローラである。各搬送ローラ１３及びレジスト前ローラ１９は、記録シートＳＴの搬送を促進補助するための小型のローラである。各搬送ローラ１３は、シート搬送路Ｓに沿って複数箇所に設けられている。レジスト前ローラ１９は、レジストローラ１４のシート搬送方向上流側の直近に設けられており、記録シートＳＴをレジストローラ１４へと搬送するようになっている。
【０１１６】
レジストローラ１４は、レジスト前ローラ１９にて搬送されてきた記録シートＳＴを一旦停止させて、記録シートＳＴの先端を揃え、中間転写ベルト７と２次転写装置１１間のニップ域で中間転写ベルト７上のカラートナー像が記録シートＳＴに転写されるように、感光体ドラム３及び中間転写ベルト７の回転にあわせて、記録シートＳＴをタイミングよく搬送する。
【０１１７】
例えば、レジストローラ１４は、中間転写ベルト７と２次転写装置１１との間のニップ域で中間転写ベルト７上のカラートナー像の先端が記録シートＳＴにおける画像形成範囲の先端に合うように、記録シートＳＴを搬送する。
【０１１８】
定着装置１２は、トナー像が転写された記録シートＳＴを受け取り、記録シートＳＴをヒートローラ３１及び加圧ローラ３２間に挟み込んで搬送する。
【０１１９】
ヒートローラ３１は、所定の定着温度となるように温度制御され、加圧ローラ３２と共に記録シートＳＴを熱圧着することにより、記録シートＳＴに転写されたトナー像を溶融、混合、圧接し、記録シートＳＴに対して熱定着させる機能を有している。
【０１２０】
各色のトナー像の定着後での記録シートＳＴは、排出ローラ１７によってシート排出トレイ１５上に排出される。
【０１２１】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートＳＴに転写され、記録シートＳＴ上定着される。
【０１２２】
また、記録シートＳＴの表（オモテ）面だけではなく、両面の画像形成を行う場合は、記録シートＳＴの表面の画像を定着装置１２により定着した後に、記録シートＳＴをシート搬送路Ｓの排出ローラ１７により搬送する途中で、排出ローラ１７を停止させてから逆回転させ、記録シートＳＴを表裏反転経路Ｓｒに通して、記録シートＳＴの表裏を反転させてから、記録シートＳＴを再びレジストローラ１４へと導き、記録シートＳＴの表面と同様に、記録シートＳＴの裏面に画像を記録して定着し、記録シートＳＴをシート排出トレイ１５に排出する。
【０１２３】
次に、本発明の第１及び第２実施形態に係る光走査装置３００ａ，３００ｂについて以下に説明する。
【０１２４】
［第１実施形態に係る光走査装置］
図３は、図１に示す画像形成装置１００における第１実施形態に係る光走査装置３００ａの概略構成の一例を示す斜視図である。
【０１２５】
本第１実施形態に係る光走査装置３００ａは、単一のレーザビーム（ビームの一例）をそれぞれ出射する複数の光源ＬＳ１〜ＬＳｎ（ｎは２以上の整数、ここではｎ＝４、以下、ｎ＝４として説明する。）を有する光源部ＬＳａと、一定の回転方向（図２中矢印Ｅ方向）に回転する単一の（共通の）回転多面鏡（以下、ポリゴンミラーという）３２０ａと、光源部ＬＳａからのレーザビームＬ１〜Ｌ４をポリゴンミラー３２０ａの一つの反射面３２１にそれぞれ一定の方向から入射させる入射光学系３１０ａと、反射面３２１からの反射ビームＲ１〜Ｒ４をそれぞれ被走査面Ｆ（ここでは、被走査体として作用する感光体ドラム２１の表面）上に結像させる反射光学系３３０ａと、単一の（共通の）ビーム検知部（具体的には光検知センサ）３４０ａとを備えている。光走査装置３００ａにおいて、入射光学系３１０ａ及び反射光学系３３０ａで走査光学系３０１ａを構成している。
【０１２６】
光走査装置３００ａは、光源部ＬＳａからのレーザビームＬ１〜Ｌ４をポリゴンミラー３２０ａの一つの反射面３２１に向かうに従いビーム間距離が次第に狭くなるようにそれぞれ入射させ、ポリゴンミラー３２０ａの一定の回転方向Ｅへの回転によって主走査方向（図３中矢印Ｘ方向）に偏向走査されて反射面３２１における反射点Ｐ（反射位置）で反射した反射ビームＲ１〜Ｒ４を単一のビーム検知部３４０ａによって検出しつつ被走査面Ｆ上に画像情報を書き込むようになっている。なお、反射ビームＲ１〜Ｒ４は、被走査面Ｆを主走査方向Ｘに定期的に走査するが、感光体ドラム２１は矢印Ｂ方向に回転しているため、感光体ドラム２１上の副走査方向Ｙも走査することができる。
【０１２７】
（光源部）
光源部ＬＳａは、ここでは、単色用の光源ユニットとされており、複数（ここでは４つ）の光源ＬＳ１〜ＬＳ４を備えている。光源部ＬＳａには、複数の光源ＬＳ１〜ＬＳ４が個別に設けられている。
【０１２８】
複数の光源ＬＳ１〜ＬＳ４は、それぞれ、レーザダイオード等の単一の半導体レーザ素子（図示せず）を備えている。複数の光源ＬＳ１〜ＬＳ４は、それぞれ、一つの半導体レーザ素子で１チップの半導体レーザを構成している。
【０１２９】
複数の光源ＬＳ１〜ＬＳ４は、画像情報書込制御部４００ａ（図１０参照）の指示の下、画像データに応じてレーザビームＬ１〜Ｌ４を射出するものである。複数の光源ＬＳ１〜ＬＳ４は、光軸に垂直な断面（ビーム断面）が円形状のレーザビームＬ１〜Ｌ４を出射する。
【０１３０】
（入射光学系）
入射光学系３１０ａは、複数の光源ＬＳ１〜ＬＳ４からのレーザビームＬ１〜Ｌ４を回転するポリゴンミラー３２０ａの一つの反射面３２１における反射点Ｐに照射するようになっている。
【０１３１】
入射光学系３１０ａは、複数の光源ＬＳ１〜ＬＳ４に対応して設けられたコリメータレンズＣＬ１〜ＣＬ４と、複数のコリメータレンズＣＬ１〜ＣＬ４に対応して設けられたアパーチャＡＰ１〜ＡＰ４と、第１シリンドリカルレンズ３１５ａとを備えている。
【０１３２】
コリメータレンズＣＬ１〜ＣＬ４は、複数の光源ＬＳ１〜ＬＳ４から拡散するように射出された円錐状のレーザビームＬ１〜Ｌ４を平行状のレーザビームＬ１〜Ｌ４に整形する光学部品である。アパーチャＡＰ１〜ＡＰ４は、ここでは、平面視で略中央部に主走査方向Ｘに対応する方向に長い矩形状の開口ＡＰ１ａ〜ＡＰ４ａが形成された板状部材（開口板）であり、レーザビームＬ１〜Ｌ４が通過するとき、ビーム断面を楕円形状から矩形状に整形する光学部品である。第１シリンドリカルレンズ３１５ａは、ポリゴンミラー３２０ａの反射面３２１における反射点Ｐに向けてレーザビームＬ１〜Ｌ４を収束させるための光学部品である。
【０１３３】
（ポリゴンミラー）
ポリゴンミラー３２０ａは、正多角形柱状（ここでは正１２角形柱状）のものであって、一定の回転方向Ｅに軸線回りに回転するようになっている。詳しくは、ポリゴンミラー３２０ａは、画像情報書込制御部４００ａ（図１０参照）からの指示命令によって駆動する駆動モータ等の回転駆動部３２２ａ（図１０参照）と共に偏向器３１９ａを構成し、回転駆動部３２２ａによって一定の高速度で回転駆動される。ポリゴンミラー３２０ａは、その各周面のミラー（反射面）３２１が回転軸線方向（図３中矢印Ｚ方向）と平行になっており、回転駆動部３２２ａによって、回転方向Ｅに回転駆動されることで、反射面３２１でレーザビームＬ１〜Ｌ４を反射した反射ビームＲ１〜Ｒ４を主走査方向Ｘに繰り返し走査するようになっている。
【０１３４】
（反射光学系）
反射光学系３３０ａは、ポリゴンミラー３２０ａの反射面３２１により反射された反射ビームＲ１〜Ｒ４を感光体ドラム２１に導くように、かつ、反射ビームＲ１〜Ｒ４が感光体ドラム２１上を照射した際に、ビームスポット（照射点）が予め設定した大きさとなり、感光体ドラム２１上を等速度で走査するようになっている。
【０１３５】
詳しくは、反射光学系３３０ａは、２組のレンズＬＺ１，ＬＺ２で構成されたｆθレンズ３３１ａと、第２シリンドリカルレンズ３３２ａと、折り返しミラー３３３ａとを備えている。これらの光学部材は、主走査方向Ｘに繰り返し走査される反射ビームＲ１〜Ｒ４を反射或いは屈折させるため、主走査方向Ｘに長くされた棒状に形成されており、それらの両端が図示しない支持部材で支持されている。
【０１３６】
ｆθレンズ３３１ａ（ＬＺ１，ＬＺ２）は、ポリゴンミラー３２０ａの偏向走査によって、主走査方向Ｘの両端部を通過する反射ビームＲ１〜Ｒ４の光路長と、主走査方向Ｘの中央部を通過する反射ビームＲ１〜Ｒ４の光路長との相違に起因して生じる画像の歪みを補正するものである。すなわち、ｆθレンズ３３１ａ（ＬＺ１，ＬＺ２）は、ポリゴンミラー３２０ａの反射面３２１で反射されて等角速度で移動する反射ビームＲ１〜Ｒ４が被走査面Ｆ上を等速度で移動するように補正する。
【０１３７】
第２シリンドリカルレンズ３３２ａは、第１シリンドリカルレンズ３１５ａとの相互作用によって、ポリゴンミラー３２０ａの面倒れを補正する。
【０１３８】
折り返しミラー３３３ａは、ガラス板にアルミニウム蒸着を施して形成されている。折り返しミラー３３３ａは、第２シリンドリカルレンズ３３２ａを通過してきた反射ビームＲ１〜Ｒ４を反射して被走査面Ｆへ導く。
【０１３９】
なお、本第１実施形態では、第２シリンドリカルレンズ３３２ａ及び折返しミラー３３３ａをそれぞれ独立して設けているが、第２シリンドリカルレンズ３３２ａ及び折返しミラー３３３ａに代えて、第２シリンドリカルレンズ３３２ａと折り返しミラー３３３ａとの双方の機能を有するシリンドリカルミラーを設けてもよい。
【０１４０】
（ビーム検知部）
ビーム検知部３４０ａは、半導体光センサ（具体的にはフォトダイオード）３４１ａと、ポリゴンミラー３２０ａの反射面３２１からの反射ビームＲ１〜Ｒ４を反射して半導体光センサ３４１ａに導くビーム検知用反射ミラー３４２ａとを備えている。
【０１４１】
ビーム検知用反射ミラー３４２aは、光源部ＬＳａからポリゴンミラー３２０ａを経て反射される反射ビームＲ１〜Ｒ４の光路上に設けられている。詳しくは、ビーム検知用反射ミラー３４２aは、反射ビームＲ１〜Ｒ４の走査領域のうち、被走査面Ｆの主走査方向Ｘにおける領域に対応する反射ビームＲ１〜Ｒ４の走査領域の外側に配設されている。
【０１４２】
半導体光センサ３４１ａは、光源部ＬＳａからのレーザビームＬ１〜Ｌ４が、回転するポリゴンミラー３２０ａの反射面３２１に入射し、反射面３２１から反射して偏向走査され、さらにビーム検知用反射ミラー３４２ａを反射した反射ビームＲ１〜Ｒ４を入射するようになっている。これにより、半導体光センサ３４１ａは、ポリゴンミラー３２０ａの反射面３２１からの反射ビームＲ１〜Ｒ４を入射するタイミングを検知できるようになっている。
【０１４３】
なお、図３において、走査位置Ｑ１，Ｑ２，Ｑ３，Ｑ４は、ポリゴンミラー３２０ａ，３２０ｂの同一の回転位置において反射ビームＲ１〜Ｒ４が被走査面Ｆに照射されるビームスポットの照射位置を示している。
【０１４４】
（回転方向における入射角度）
図４は、第１実施形態に係る光走査装置３００ａにおける複数の光源ＬＳ１〜ＬＳ４からのレーザビームＬ１〜Ｌ４がポリゴンミラー３２０ａの反射面３２１を反射して被走査面Ｆに照射される状態を模式的に表した図であって、ポリゴンミラー３２０ａの回転軸線方向Ｚから視た平面図である。なお、被走査面Ｆは、実際には曲面形状であるが、微視的に視て平面とみなすことができるため、以下、被走査面Ｆは、平面として説明し、図４及び後述する図５において平面で示している。また、図４において、入射光学系３１０ａの他、ｆθレンズ３３１ａを除く反射光学系３３０ａは図示を省略している。
【０１４５】
光源部ＬＳａにおいて、複数の光源ＬＳ１〜ＬＳ４は、光出射部ＬＴ１〜ＬＴ４から出射するレーザビームＬ１〜Ｌ４がポリゴンミラー３２０ａの反射面３２１への回転方向Ｅにおける互いに異なる入射角度θ１〜θ４でそれぞれ入射するように配設されている。
【０１４６】
ここで、回転方向Ｅにおける入射角度θ１〜θ４は、後述する回転軸線方向Ｚにおける入射角度φ１〜φ４（図５参照）を０度とした場合のレーザビームＬ１〜Ｌ４の光軸と、反射点Ｐを通る反射面３２１に垂直な仮想直線α１とのなす角度である。ここでは、入射角度θ２は、入射角度θ１より大きい角度とされ、入射角度θ３は、入射角度θ２より大きい角度とされ、入射角度θ４は、入射角度θ３より大きい角度とされている。
【０１４７】
ここで、直線距離ｒは、光出射部ＬＴ１〜ＬＴ４から反射面３２１における反射点Ｐまでの直線距離としている。また、弧の長さｈ１２，ｈ２３，ｈ３４は、反射点Ｐを中心とし、かつ、半径を光出射部ＬＴ１〜ＬＴ４から反射面３２１における反射点Ｐまでの直線距離ｒとして回転軸線方向Ｚにおける入射角度φ１〜φ４を０度とした場合のレーザビームＬ１〜Ｌ４の光軸を通過する仮想円弧γにおける、隣り合うレーザビーム（Ｌ１，Ｌ２），（Ｌ２，Ｌ３），（Ｌ３，Ｌ４）間の距離としている。
【０１４８】
なお、図４において、相対距離Ｈ１２，２３，３４及び相対角度θ１２，θ２３，θ３４については、後述する。
【０１４９】
（回転軸線方向における入射角度）
図５は、第１実施形態に係る光走査装置３００ａにおける複数の光源ＬＳ１〜ＬＳ４からのレーザビームＬ１〜Ｌ４がポリゴンミラー３２０ａの反射面３２１を反射して被走査面Ｆに照射される状態を模式的に表した図であって、ポリゴンミラー３２０ａの径方向から視た側面図である。なお、図５において、入射光学系３１０ａの他、ｆθレンズ３３１ａを除く反射光学系３３０ａは図示を省略している。
【０１５０】
本第１実施形態では、光源部ＬＳａにおいて、複数の光源ＬＳ１〜ＬＳ４は、図４の構成に加えて、光出射部ＬＴ１〜ＬＴ４から出射するレーザビームＬ１〜Ｌ４がポリゴンミラー３２０ａの反射面３２１への回転軸線方向Ｚにおける互いに異なる入射角度φ１〜φ４でそれぞれ入射するように配設されている。
【０１５１】
ここで、回転軸線方向Ｚにおける入射角度φ１〜φ４は、回転方向Ｅにおける入射角度θ１〜θ４（図４参照）を０度とした場合のレーザビームＬ１〜Ｌ４の光軸と、反射点Ｐを通る回転軸線方向Ｚに垂直な仮想直線α２とのなす角度である。ここでは、レーザビームＬ１の入射角度φ１とレーザビームＬ４の入射角度φ４とが絶対値で同一又は略同一の値となっており、レーザビームＬ２の入射角度φ２とレーザビームＬ３の入射角度φ３とが絶対値で同一又は略同一の値となっている。すなわち、レーザビームＬ４の入射角度φ４がＡ°である場合には、レーザビームＬ１の入射角度φ１が−Ａ°とされており、レーザビームＬ３の入射角度φ３がＡ°より大きいＢ°である場合には、レーザビームＬ２の入射角度φ２が−Ｂ°とされている。
【０１５２】
ここで、直線距離ｒは、光出射部ＬＴ１〜ＬＴ４から反射面３２１における反射点Ｐまでの直線距離としている。また、弧の長さｉ１２，ｉ２３，ｉ３４は、反射点Ｐを中心とし、かつ、半径を光出射部ＬＴ１〜ＬＴ４から反射面３２１における反射点Ｐまでの直線距離ｒとして回転方向Ｅにおける入射角度θ１〜θ４（図４参照）を０度とした場合のレーザビームＬ１〜Ｌ４の光軸を通過する仮想円弧γにおける、隣り合うレーザビーム（Ｌ１，Ｌ２），（Ｌ２，Ｌ３），（Ｌ３，Ｌ４）間の距離としている。
【０１５３】
なお、図５において、被走査面Ｆでの相対距離Ｉ１２，Ｉ２３，Ｉ３４及び入射角度φ１〜φ４の間の相対角度φ１２，φ２３，φ３４については、後述する。
【０１５４】
（光源の配列）
図６は、第１実施形態に係る光走査装置３００ａにおける複数の光源ＬＳ１〜ＬＳ４を配列した配列構成の一例を光源ＬＳ１〜ＬＳ４の光出射部ＬＴ１〜ＬＴ４とは反対側の方向から視た概略平面図である。
【０１５５】
本第１実施形態では、光源部ＬＳａにおいて、複数の光源ＬＳ１〜ＬＳ４は、回転方向Ｅ及び回転軸線方向Ｚに対する斜め方向Ｗに沿って並設されている。具体的には、光源ＬＳ１〜ＬＳ４は、光出射部ＬＴ１〜ＬＴ４の中心（レーザビームＬ１〜Ｌ４の光軸）の位置が斜め方向Ｗに沿った仮想直線β１を通るように配設されている。
【０１５６】
（光源とポリゴンミラーとの間の距離が同一又は略同一）
本第１実施形態では、光源部ＬＳａにおいて、複数の光源ＬＳ１〜ＬＳ４は、光出射部ＬＴ１〜ＬＴ４から反射面３２１における反射点Ｐまでの直線距離ｒが何れも同一又は略同一距離となるように配設されている。具体的には、光源ＬＳ１〜ＬＳ４は、光出射部ＬＴ１〜ＬＴ４先端において中心（レーザビームＬ１〜Ｌ４の光軸）の位置が反射点Ｐを中心にした直線距離（半径）ｒの仮想円弧γ（図７参照）を通るように配設されている。
【０１５７】
（ビーム間の相対角度が同一又は略同一）
本第１実施形態では、光源部ＬＳａにおいて、複数の光源ＬＳ１〜ＬＳ４は、隣り合うレーザビーム（Ｌ１，Ｌ２），（Ｌ２，Ｌ３），（Ｌ３，Ｌ４）間の回転方向Ｅにおける相対角度θ１２，θ２３，θ３４（図４参照）が予め設定した角度となるように配設されている。つまり、隣り合うレーザビームＬ１，Ｌ２の回転方向Ｅにおける入射角度θ１，θ２の差の絶対値が相対角度θ１２とされ、隣り合うレーザビームＬ２，Ｌ３の回転方向Ｅにおける入射角度θ２，θ３の差の絶対値が相対角度θ２３とされ、隣り合うレーザビームＬ３，Ｌ４の回転方向Ｅにおける入射角度θ３，θ４の差の絶対値が相対角度θ３４とされている。これらの相対角度θ１２，θ２３，θ３４は、ここでは、何れも同一又は略同一の角度となっている。
【０１５８】
また、複数の光源ＬＳ１〜ＬＳ４は、隣り合うレーザビーム（Ｌ１，Ｌ２），（Ｌ２，Ｌ３），（Ｌ３，Ｌ４）間の回転軸線方向Ｚにおける相対角度φ１２，φ２３，φ３４（図５参照）が予め設定した角度となるように配設されている。つまり、隣り合うレーザビームＬ１，Ｌ２の回転軸線方向Ｚにおける入射角度φ１，φ２の差の絶対値が相対角度φ１２とされ、隣り合うレーザビームＬ２，Ｌ３の回転軸線方向Ｚにおける入射角度φ２，φ３の差の絶対値が相対角度φ２３とされ、隣り合うレーザビームＬ３，Ｌ４の回転軸線方向Ｚにおける入射角度φ３，φ４の差の絶対値が相対角度φ３４とされている。これらの相対角度φ１２，φ２３，φ３４は、ここでは、何れも同一又は略同一の角度となっている。
【０１５９】
（光源とポリゴンミラーとの間で反射部材を持たない構成）
ここで、ポリゴンミラー３２０ａの反射面３２１との間の入射光学系３１０ａには、レーザビームＬ１〜Ｌ４を反射させる反射ミラー等の反射部材が設けられていてもよいが、本第１実施形態では、ポリゴンミラー３２０ａの反射面３２１との間の入射光学系３１０ａには、レーザビームＬ１〜Ｌ４を反射させる反射ミラー等の反射部材が設けられていない構成とされている。
【０１６０】
（レーザビームを同一平面上に出射する構成）
図７は、第１実施形態に係る光走査装置３００ａにおいてレーザビームＬ１〜Ｌ４を同一平面α３上に出射する構成の一例を示す概略斜視図である。
【０１６１】
本第１実施形態では、光源部ＬＳａにおいて、複数の光源ＬＳ１〜ＬＳ４は、それぞれのレーザビームＬ１〜Ｌ４を回転軸線方向Ｚに交差する同一平面α３上に出射するように配設されている。ここでは、同一平面α３は、仮想円弧γと、一端にある光源ＬＳ１からのレーザビームＬ１に対応する辺β２と、他端にある光源ＬＳ４からのレーザビームＬ４に対応する辺β３と、第１シリンドリカルレンズ３１５ａに対応する辺β４とで扇形の平面の一部を構成している。
【０１６２】
以上説明した光走査装置３００ａでは、画像情報に基づく書き込み動作が行われるにあたり、光源部ＬＳａから出射された画像情報に対応するレーザビームＬｙ，Ｌｍ，Ｌｃ，Ｌｋは、入射光学系３１０ａを経て、ポリゴンミラー３２０ａの反射面３２１で反射される。反射面３２１で反射された反射ビームＲ１〜Ｒ４は、主走査方向Ｘに走査され、ｆθレンズ３３１ａ及び第２シリンドリカルレンズ３３２ａを通過し、さらに折り返しミラー３３３ａで反射されて、感光体ドラム１２１の表面（被走査面Ｆ）に入射する。
【０１６３】
なお、光源部ＬＳａにおいて、レーザビームＬ１〜Ｌ４のポリゴンミラー３２０ａの反射面３２１への反射点Ｐは、１箇所の点となるようにしたが、少なくとも一つが他の反射点と離間するようになっていてもよい。
【０１６４】
［第２実施形態に係る光走査装置］
第２実施形態に係る光走査装置３００ｂの説明において、感光体ドラムの符号３の末尾符号は省略せずに感光体ドラム３ｙ，３ｍ，３ｃ，３ｋとする。
【０１６５】
図８は、図２に示す画像形成装置Ｄにおける第２実施形態に係る光走査装置３００ｂにおける光源部ＬＳｙ，ＬＳｍ，ＬＳｃ，ＬＳｋ及び入射光学系３１０ｂ部分の概略構成の一例を示す斜視図である。図９は、第２実施形態に係る光走査装置３００ｂを感光体ドラム３ｙ，３ｍ，３ｃ，３ｋとの位置関係と共に示す概略側面図である。
【０１６６】
本第２実施形態に係る光走査装置３００ｂは、複数の（ここでは４つの）光源部ＬＳｙ，ＬＳｍ，ＬＳｃ，ＬＳｋと、一定の回転方向（図４中矢印Ｅ方向）に回転する単一の（共通の）ポリゴンミラー３２０ｂと、複数の光源部ＬＳｙ，ＬＳｍ，ＬＳｃ，ＬＳｋからのそれぞれのレーザビームＬｙ１〜Ｌｙｎ，Ｌｍ１〜Ｌｍｎ，Ｌｃ１〜Ｌｃｎ，Ｌｋ１〜Ｌｋｎ（ｎは２以上の整数、ここではｎ＝４、以下、ｎ＝４として説明する。）をポリゴンミラー３２０ｂの一つの反射面３２１にそれぞれ一定の方向から入射させる入射光学系３１０ｂと、反射面３２１からの反射ビームＲｙ１〜Ｒｙ４，Ｒｍ１〜Ｒｍ４，Ｒｃ１〜Ｒｃ４，Ｒｋ１〜Ｒｋ４をそれぞれ被走査面Ｆ（ここでは、被走査体として作用する感光体ドラム３ｙ，３ｍ，３ｃ，３ｋ（図９参照）の表面）上に結像させる反射光学系３３０ｂと、単一の（共通の）ビーム検知部（具体的には光検知センサ）３４０ｙ，３４０ｍ，３４０ｃ，３４０ｋ（図８及び図９では図示せず、後述する図１１参照）とを備えていている。光走査装置３００ｂにおいて、入射光学系３１０ｂ及び反射光学系３３０ｂで走査光学系３０１ｂを構成している。
【０１６７】
複数の光源ＬＳ１〜ＬＳ４は、単一のレーザビーム（ビームの一例）をそれぞれ出射する複数の光源ＬＳｙ１〜ＬＳｙ４，ＬＳｍ１〜ＬＳｍ４，ＬＳｃ１〜ＬＳｃ４，ＬＳｋ１〜ＬＳｋ４をそれぞれ有している。なお、図８において、紙面の都合上、光源に対するＬＳｙ１〜ＬＳｙ４，ＬＳｍ１〜ＬＳｍ４，ＬＳｃ１〜ＬＳｃ４，ＬＳｋ１〜ＬＳｋ４の符号は、図示を省略している。
【０１６８】
ここで、各光源部ＬＳｙ，ＬＳｍ，ＬＳｃ，ＬＳｋ（各色）毎の複数本の反射ビームＲｙ１〜Ｒｙ４，Ｒｍ１〜Ｒｍ４，Ｒｃ１〜Ｒｃ４，Ｒｋ１〜Ｒｋ４は、ポリゴンミラー３２０ｂで反射されるのであるが、図９において、各光源部ＬＳｙ，ＬＳｍ，ＬＳｃ，ＬＳｋ（図９では図示せず）毎の複数本の反射ビームＲｙ１〜Ｒｙ４，Ｒｍ１〜Ｒｍ４，Ｒｃ１〜Ｒｃ４，Ｒｋ１〜Ｒｋ４は、各光源部ＬＳｙ，ＬＳｍ，ＬＳｃ，ＬＳｋ（各色）毎に１本の線Ｒｙ，Ｒｍ，Ｒｃ，Ｒｋで示している。
【０１６９】
光走査装置３００ｂは、各光源部ＬＳｙ，ＬＳｍ，ＬＳｃ，ＬＳｋからのレーザビームＬｙ１〜Ｌｙ４，Ｌｍ１〜Ｌｍ４，Ｌｃ１〜Ｌｃ４，Ｌｋ１〜Ｌｋ４をポリゴンミラー３２０ｂの一つの反射面３２１に向かうに従いビーム間距離が次第に狭くなるようにそれぞれ入射させ、ポリゴンミラー３２０ｂの一定の回転方向Ｅへの回転によって主走査方向（図９中矢印Ｘ方向）に偏向走査されて反射面３２１における反射点Ｐ（反射位置）で反射した反射ビームＲｙ１〜Ｒｙ４（Ｒｙ），Ｒｍ１〜Ｒｍ４（Ｒｍ），Ｒｃ１〜Ｒｃ４（Ｒｃ），Ｒｋ１〜Ｒｋ４（Ｒｋ）を単一のビーム検知部３４０ｙ，３４０ｍ，３４０ｃ，３４０ｋによって検出しつつ被走査面Ｆ上に画像情報を書き込むようになっている。なお、反射ビームＲｙ１〜Ｒｙ４（Ｒｙ），Ｒｍ１〜Ｒｍ４（Ｒｍ），Ｒｃ１〜Ｒｃ４（Ｒｃ），Ｒｋ１〜Ｒｋ４（Ｒｋ）は、被走査面Ｆを主走査方向Ｘに定期的に走査するが、感光体ドラム３ｙ，３ｍ，３ｃ，３ｋは矢印Ｂ方向に回転しているため、感光体ドラム３ｙ，３ｍ，３ｃ，３ｋ上の副走査方向Ｙも走査することができる。
【０１７０】
（光源部）
光源部ＬＳｙは、ここでは、イエロー用の光源ユニットとされており、イエロー用の複数（ここでは４つ）の光源ＬＳｙ１〜ＬＳｙ４を備えている。光源部ＬＳｙには、複数の光源ＬＳｙ１〜ＬＳｙ４が個別に設けられている。光源部ＬＳｍは、マゼンタ用の光源ユニットとされており、マゼンタ用の複数（ここでは４つ）の光源ＬＳｍ１〜ＬＳｍ４を備えている。光源部ＬＳｍには、複数の光源ＬＳｍ１〜ＬＳｍ４が個別に設けられている。光源部ＬＳｃは、シアン用の光源ユニットとされており、シアン用の複数（ここでは４つ）の光源ＬＳｃ１〜ＬＳｃ４を備えている。光源部ＬＳｃには、複数の光源ＬＳｃ１〜ＬＳｃ４が個別に設けられている。また、光源部ＬＳｋは、ブラック用の光源ユニットとされており、ブラック用の複数（ここでは４つ）の光源ＬＳｋ１〜ＬＳｋ４を備えている。光源部ＬＳｋには、複数の光源ＬＳｋ１〜ＬＳｋ４が個別に設けられている。
【０１７１】
各光源部ＬＳｙ，ＬＳｍ，ＬＳｃ，ＬＳｋに設けられた複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、それぞれ、レーザダイオード等の単一の半導体レーザ素子（図示せず）を備えている。各光源部ＬＳｙ，ＬＳｍ，ＬＳｃ，ＬＳｋにおける複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、それぞれ、一つの半導体レーザ素子で１チップの半導体レーザを構成している。
【０１７２】
各光源部ＬＳｙ，ＬＳｍ，ＬＳｃ，ＬＳｋにおける複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、画像情報書込制御部４００ｂ（図１１参照）の指示の下、画像データに応じてレーザビームＬｙ１〜Ｌｙ４，Ｌｍ１〜Ｌｍ４，Ｌｃ１〜Ｌｃ４，Ｌｋ１〜Ｌｋ４を射出するものである。各光源部ＬＳｙ，ＬＳｍ，ＬＳｃ，ＬＳｋにおける複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、光軸に垂直な断面（ビーム断面）が円形状のレーザビームＬｙ１〜Ｌｙ４，Ｌｍ１〜Ｌｍ４，Ｌｃ１〜Ｌｃ４，Ｌｋ１〜Ｌｋ４を出射する。
【０１７３】
（入射光学系）
入射光学系３１０ｂは、各光源部ＬＳｙ，ＬＳｍ，ＬＳｃ，ＬＳｋにおける複数の光源ＬＳｙ１〜ＬＳｙ４，ＬＳｍ１〜ＬＳｍ４，ＬＳｃ１〜ＬＳｃ４，ＬＳｋ１〜ＬＳｋ４からのレーザビームＬｙ１〜Ｌｙ４，Ｌｍ１〜Ｌｍ４，Ｌｃ１〜Ｌｃ４，Ｌｋ１〜Ｌｋ４を回転するポリゴンミラー３２０ｂの一つの反射面３２１における反射点Ｐに照射するようになっている。
【０１７４】
入射光学系３１０ｂは、各光源部ＬＳｙ，ＬＳｍ，ＬＳｃ，ＬＳｋにおける複数の光源ＬＳｙ１〜ＬＳｙ４，ＬＳｍ１〜ＬＳｍ４，ＬＳｃ１〜ＬＳｃ４，ＬＳｋ１〜ＬＳｋ４に対応して設けられたコリメータレンズＣＬｙ（ＣＬｙ１〜ＣＬｙ４），ＣＬｍ（ＣＬｍ１〜ＣＬｍ４），ＣＬｃ（ＣＬｃ１〜ＣＬｃ４），ＣＬｋ（ＣＬｋ１〜ＣＬｋ４）と、シリンドリカルレンズ３１５ｂとを備えている。なお、図８において、紙面の都合上、シリンドリカルレンズに対するＣＬｙ１〜ＣＬｙ４，ＣＬｍ１〜ＣＬｍ４，ＣＬｃ１〜ＣＬｃ４，ＣＬｋ１〜ＣＬｋ４の符号は、図示を省略し、各色毎にＣＬｙ，ＣＬｍ，ＣＬｃ，ＣＬｋを付している。
【０１７５】
コリメータレンズＣＬｙ（ＣＬｙ１〜ＣＬｙ４），ＣＬｍ（ＣＬｍ１〜ＣＬｍ４），ＣＬｃ（ＣＬｃ１〜ＣＬｃ４），ＣＬｋ（ＣＬｋ１〜ＣＬｋ４）は、複数の光源ＬＳｙ１〜ＬＳｙ４，ＬＳｍ１〜ＬＳｍ４，ＬＳｃ１〜ＬＳｃ４，ＬＳｋ１〜ＬＳｋ４から拡散するように射出された円錐状のレーザビームＬｙ１〜Ｌｙ４，Ｌｍ１〜Ｌｍ４，Ｌｃ１〜Ｌｃ４，Ｌｋ１〜Ｌｋ４を平行状のレーザビームＬｙ１〜Ｌｙ４，Ｌｍ１〜Ｌｍ４，Ｌｃ１〜Ｌｃ４，Ｌｋ１〜Ｌｋ４に整形する光学部品である。シリンドリカルレンズ３１５ｂは、ポリゴンミラー３２０ｂの反射面３２１における反射点Ｐに向けてレーザビームＬｙ１〜Ｌｙ４，Ｌｍ１〜Ｌｍ４，Ｌｃ１〜Ｌｃ４，Ｌｋ１〜Ｌｋ４を収束させるための光学部品である。
【０１７６】
（ポリゴンミラー）
ポリゴンミラー３２０ｂは、正多角形柱状（ここでは正６角形柱状）のものであって、一定の回転方向（図８中矢印Ｅ方向）に軸線回りに回転するようになっている。詳しくは、ポリゴンミラー３２０ｂは、画像情報書込制御部４００ｂ（図１１参照）からの指示命令によって駆動する駆動モータ等の回転駆動部３２２ｂ（図１１参照）と共に偏向器３１９ｂを構成し、回転駆動部３２２ｂによって一定の高速度で回転駆動される。ポリゴンミラー３２０ｂは、その各周面のミラー（反射面）３２１が回転軸線方向（図８中矢印Ｚ方向）と平行になっており、回転駆動部３２２ｂによって、回転方向Ｅに回転駆動されることで、反射面３２１でレーザビームＬｙ１〜Ｌｙ４，Ｌｍ１〜Ｌｍ４，Ｌｃ１〜Ｌｃ４，Ｌｋ１〜Ｌｋ４を反射した反射ビームＲｙ（Ｒｙ１〜Ｒｙ４），Ｒｍ（Ｒｍ１〜Ｒｍ４），Ｒｃ（Ｒｃ１〜Ｒｃ４），Ｒｋ（Ｒｋ１〜Ｒｋ４）を主走査方向Ｘに繰り返し走査するようになっている。
【０１７７】
（反射光学系）
図９に示すように、反射光学系３３０ｂは、ポリゴンミラー３２０ｂの反射面３２１により反射された反射ビームＲｙ（Ｒｙ１〜Ｒｙ４），Ｒｍ（Ｒｍ１〜Ｒｍ４），Ｒｃ（Ｒｃ１〜Ｒｃ４），Ｒｋ（Ｒｋ１〜Ｒｋ４）を感光体ドラム３ｙ，３ｍ，３ｃ，３ｋに導くように、かつ、反射ビームＲｙ（Ｒｙ１〜Ｒｙ４），Ｒｍ（Ｒｍ１〜Ｒｍ４），Ｒｃ（Ｒｃ１〜Ｒｃ４），Ｒｋ（Ｒｋ１〜Ｒｋ４）が感光体ドラム３ｙ，３ｍ，３ｃ，３ｋ上を照射した際に、ビームスポットが予め設定した大きさとなり、感光体ドラム３ｙ，３ｍ，３ｃ，３ｋ上を等速度で走査するようになっている。
【０１７８】
詳しくは、反射光学系３３０ｂは、第１ｆθレンズ３３１ｂと、複数の（ここでは４個の）反射ミラー系３３３ｙ，３３３ｍ，３３３ｃ，３３３ｋと、複数の（ここでは４個の）第２ｆθレンズ３３１ｙ，３３１ｍ，３３１ｃ，３３１ｋとを備えている。これらの光学部材は、主走査方向Ｘに繰り返し走査される反射ビームＲｙ（Ｒｙ１〜Ｒｙ４），Ｒｍ（Ｒｍ１〜Ｒｍ４），Ｒｃ（Ｒｃ１〜Ｒｃ４），Ｒｋ（Ｒｋ１〜Ｒｋ４）を反射或いは屈折させるため、主走査方向Ｘに長くされた棒状に形成されており、それらの両端が図示しない支持部材で支持されている。
【０１７９】
第１ｆθレンズ３３１ｂ及び第２ｆθレンズ３３１ｙ，３３１ｍ，３３１ｃ，３３１ｋは、ポリゴンミラー３２０ｂの偏向走査によって、主走査方向Ｘの両端部を通過する反射ビームＲｙ（Ｒｙ１〜Ｒｙ４），Ｒｍ（Ｒｍ１〜Ｒｍ４），Ｒｃ（Ｒｃ１〜Ｒｃ４），Ｒｋ（Ｒｋ１〜Ｒｋ４）の光路長と、主走査方向Ｘの中央部を通過する反射ビームＲ１〜Ｒ４の光路長との相違に起因して生じる画像の歪みを補正するものである。すなわち、第１ｆθレンズ３３１ｂ及び第２ｆθレンズ３３１ｙ，３３１ｍ，３３１ｃ，３３１ｋは、ポリゴンミラー３２０ｂの反射面３２１で反射されて等角速度で移動する反射ビームＲｙ（Ｒｙ１〜Ｒｙ４），Ｒｍ（Ｒｍ１〜Ｒｍ４），Ｒｃ（Ｒｃ１〜Ｒｃ４），Ｒｋ（Ｒｋ１〜Ｒｋ４）が被走査面Ｆ上を等速度で移動するように補正する。
【０１８０】
詳しくは、第１ｆθレンズ３３１ｂは、ポリゴンミラー３２０ｂの反射面３２１からの反射ビームＲｙ（Ｒｙ１〜Ｒｙ４），Ｒｍ（Ｒｍ１〜Ｒｍ４），Ｒｃ（Ｒｃ１〜Ｒｃ４），Ｒｋ（Ｒｋ１〜Ｒｋ４）を屈折させるものであり、ポリゴンミラー３２０と、反射ミラー系３３３ｙ，３３３ｍ，３３３ｃ，３３３ｋとの間の光路上に設けられている。
【０１８１】
第２ｆθレンズ３３１ｙ，３３１ｍ，３３１ｃ，３３１ｋは、反射ミラー系３３３ｙ，３３３ｍ，３３３ｃ，３３３ｋからの反射ビームＲｙ（Ｒｙ１〜Ｒｙ４），Ｒｍ（Ｒｍ１〜Ｒｍ４），Ｒｃ（Ｒｃ１〜Ｒｃ４），Ｒｋ（Ｒｋ１〜Ｒｋ４）をそれぞれ個別に屈折させるものであり、感光体ドラム３ｙ，３ｍ，３ｃ，３ｋと、反射ミラー系３３３ｙ，３３３ｍ，３３３ｃ，３３３ｋとの間の光路上に設けられている。
【０１８２】
反射ミラー系３３３ｙ，３３３ｍ，３３３ｃ，３３３ｋは、第１ｆθレンズ３３１ｂを通過した反射ビームＲｙ（Ｒｙ１〜Ｒｙ４），Ｒｍ（Ｒｍ１〜Ｒｍ４），Ｒｃ（Ｒｃ１〜Ｒｃ４），Ｒｋ（Ｒｋ１〜Ｒｋ４）を個別に反射するものである。
【０１８３】
反射ミラー系３３３ｙは、第１及び第２反射ミラー３３４ｙ，３３５ｙを備えている。第１反射ミラー３３４ｙは、第１ｆθレンズ３３１ｂからの反射ビームＲｙ（Ｒｙ１〜Ｒｙ４）を第２ミラー３３５ｙに導くようになっている。第２ミラー３３５ｙは、第１反射ミラー３３４ｙからの反射ビームＲｙ（Ｒｙ１〜Ｒｙ４）を第２ｆθレンズ３３１ｙに導くようになっている。
【０１８４】
反射ミラー系３３３ｍは、第１及び第２反射ミラー３３４ｍ，３３５ｍを備えている。第１反射ミラー３３４ｍは、第１ｆθレンズ３３１ｂからの反射ビームＲｍ（Ｒｍ１〜Ｒｍ４）を第２ミラー３３５ｍに導くようになっている。第２ミラー３３５ｍは、第１反射ミラー３３４ｍからの反射ビームＲｍ（Ｒｍ１〜Ｒｍ４）を第２ｆθレンズ３３１ｍに導くようになっている。
【０１８５】
反射ミラー系３３３ｃは、第１及び第２反射ミラー３３４ｃ，３３５ｃを備えている。第１反射ミラー３３４ｃは、第１ｆθレンズ３３１ｂからの反射ビームＲｃ（Ｒｃ１〜Ｒｃ４）を第２ミラー３３５ｃに導くようになっている。第２ミラー３３５ｃは、第１反射ミラー３３４ｃからの反射ビームＲｃ（Ｒｃ１〜Ｒｃ４）を第２ｆθレンズ３３１ｃに導くようになっている。
【０１８６】
反射ミラー系３３３ｋは、反射ミラー３３４ｋを備えている。反射ミラー３３４ｋは、第１ｆθレンズ３３１ｂからの反射ビームＲｋ（Ｒｋ１〜Ｒｋ４）を第２ｆθレンズ３３１ｋに導くようになっている。
【０１８７】
（ビーム検知部）
ビーム検知部の構成については、前記した第１実施形態の場合と同様に説明することができる。よって、第１実施形態で説明した図３を参照しながら説明する。なお、図３において、ビーム検知部３４０ａは、ビーム検知部３４０ｙ，３４０ｍ，３４０ｃ，３４０ｋとし、光源部ＬＳａは、光源部ＬＳｙ，ＬＳｍ，ＬＳｃ，ＬＳｋとし、反射ビームＲ１〜Ｒ４は、反射ビームＲｙ１〜Ｒｙ４，Ｒｍ１〜Ｒｍ４，Ｒｃ１〜Ｒｃ４，Ｒｋ１〜Ｒｋ４とし、半導体光センサ３４１ａは、半導体光センサ３４１ｙ，３４１ｍ，３４１ｃ，３４１ｋとし、ビーム検知用反射ミラー３４２ａは、ビーム検知用反射ミラー３４２ｙ，３４２ｍ，３４２ｃ，３４２ｋとして説明する。このことは、後述する図５につても同様である。
【０１８８】
ビーム検知部３４０ｙ，３４０ｍ，３４０ｃ，３４０ｋは、半導体光センサ（具体的にはフォトダイオード）３４１ｙ，３４１ｍ，３４１ｃ，３４１ｋと、ポリゴンミラー３２０の反射面３２１からの反射ビームＲｙ１〜Ｒｙ４，Ｒｍ１〜Ｒｍ４，Ｒｃ１〜Ｒｃ４，Ｒｋ１〜Ｒｋ４を反射して半導体光センサ３４１ｙ，３４１ｍ，３４１ｃ，３４１ｋに導くビーム検知用反射ミラー３４２ｙ，３４２ｍ，３４２ｃ，３４２ｋとを備えている。
【０１８９】
ビーム検知用反射ミラー３４２ｙ，３４２ｍ，３４２ｃ，３４２ｋは、各光源部ＬＳｙ，ＬＳｍ，ＬＳｃ，ＬＳｋからポリゴンミラー３２０ｂを経て反射される反射ビームＲｙ１〜Ｒｙ４，Ｒｍ１〜Ｒｍ４，Ｒｃ１〜Ｒｃ４，Ｒｋ１〜Ｒｋ４の光路上に設けられている。詳しくは、ビーム検知用反射ミラー３４２ｙ，３４２ｍ，３４２ｃ，３４２ｋは、反射ビームＲｙ１〜Ｒｙ４，Ｒｍ１〜Ｒｍ４，Ｒｃ１〜Ｒｃ４，Ｒｋ１〜Ｒｋ４の走査領域のうち、被走査面Ｆの主走査方向Ｘにおける領域に対応する反射ビームＲｙ１〜Ｒｙ４，Ｒｍ１〜Ｒｍ４，Ｒｃ１〜Ｒｃ４，Ｒｋ１〜Ｒｋ４の走査領域の外側に配設されている。
【０１９０】
半導体光センサ３４１ｙ，３４１ｍ，３４１ｃ，３４１ｋは、各光源部ＬＳｙ，ＬＳｍ，ＬＳｃ，ＬＳｋからのレーザビームＬｙ１〜Ｌｙ４，Ｌｍ１〜Ｌｍ４，Ｌｃ１〜Ｌｃ４，Ｌｋ１〜Ｌｋ４が、回転するポリゴンミラー３２０ｂの反射面３２１に入射し、反射面３２１から反射して偏向走査され、さらにビーム検知用反射ミラー３４２ｙ，３４２ｍ，３４２ｃ，３４２ｋを反射した反射ビームＲｙ１〜Ｒｙ４，Ｒｍ１〜Ｒｍ４，Ｒｃ１〜Ｒｃ４，Ｒｋ１〜Ｒｋ４を入射するようになっている。これにより、半導体光センサ３４１ｙ，３４１ｍ，３４１ｃ，３４１ｋは、ポリゴンミラー３２０ｂの反射面３２１からの反射ビームＲｙ１〜Ｒｙ４，Ｒｍ１〜Ｒｍ４，Ｒｃ１〜Ｒｃ４，Ｒｋ１〜Ｒｋ４を入射するタイミングを検知できるようになっている。
【０１９１】
（回転方向における入射角度）
回転方向Ｅにおける入射角度については、前記した第１実施形態の場合と同様に説明することができる。よって、第１実施形態で説明した図４を参照しながら説明する。なお、図４において、入射角度θ１〜θ４は、入射角度θｙ１〜θｙ４，θｍ１〜θｍ４，θｃ１〜θｃ４，θｋ１〜θｋ４とし、光源部ＬＳａは、光源部ＬＳｙ，ＬＳｍ，ＬＳｃ，ＬＳｋとし、光源ＬＳ１〜ＬＳ４は、光源ＬＳｙ１〜ＬＳｙ４，ＬＳｍ１〜ＬＳｍ４，ＬＳｃ１〜ＬＳｃ４，ＬＳｋ１〜ＬＳｋ４とし、レーザビームＬ１〜Ｌ４は、レーザビームＬｙ１〜Ｌｙ４，Ｌｍ１〜Ｌｍ４，Ｌｃ１〜Ｌｃ４，Ｌｋ１〜Ｌｋ４とし、ポリゴンミラー３２０ａは、ポリゴンミラー３２０ｂとして説明する。光源部、光源、レーザビーム、ポリゴンミラーの符号については、後述する図５及び図６についても同様である。
【０１９２】
各光源部ＬＳｙ，ＬＳｍ，ＬＳｃ，ＬＳｋにおいて、複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、出射するレーザビームＬｙ１〜Ｌｙ４，Ｌｍ１〜Ｌｍ４，Ｌｃ１〜Ｌｃ４，Ｌｋ１〜Ｌｋ４がポリゴンミラー３２０ｂの反射面３２１への回転方向Ｅにおける互いに異なる入射角度θｙ１〜θｙ４，θｍ１〜θｍ４，θｃ１〜θｃ４，θｋ１〜θｋ４でそれぞれ入射するように配設されている。
【０１９３】
ここで、回転方向Ｅにおける入射角度θｙ１〜θｙ４，θｍ１〜θｍ４，θｃ１〜θｃ４，θｋ１〜θｋ４は、回転軸線方向Ｚにおける入射角度φ１〜φ４（図５参照）を０度とした場合のレーザビームＬ１〜Ｌ４の光軸と、反射点Ｐを通る反射面３２１に垂直な仮想直線α１とのなす角度である。ここでは、入射角度θｙ１，θｍ１，θｃ１，θｋ１は、同一又は略同一の角度とされ、入射角度θｙ２，θｍ２，θｃ２，θｋ２は、入射角度θｙ１，θｍ１，θｃ１，θｋ１より大きい同一又は略同一の角度とされ、入射角度θｙ３，θｍ３，θｃ３，θｋ３は、入射角度θｙ２，θｍ２，θｃ２，θｋ２より大きい同一又は略同一の角度とされ、入射角度θｙ４，θｍ４，θｃ４，θｋ４は、入射角度θｙ３，θｍ３，θｃ３，θｋ３より大きい同一又は略同一の角度とされている。
【０１９４】
（回転軸線方向における入射角度）
回転軸線方向Ｚにおける入射角度については、前記した第１実施形態の場合と同様に説明することができる。よって、第１実施形態で説明した図５を参照しながら説明する。なお、図５において、入射角度φ１〜φ４は、入射角度φｙ１〜φｙ４，φｍ１〜φｍ４，φｃ１〜φｃ４，φｋ１〜φｋ４として説明する。
【０１９５】
本第２実施形態では、各光源部ＬＳｙ，ＬＳｍ，ＬＳｃ，ＬＳｋにおいて、複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、図４の構成に加えて、出射するレーザビームＬｙ１〜Ｌｙ４，Ｌｍ１〜Ｌｍ４，Ｌｃ１〜Ｌｃ４，Ｌｋ１〜Ｌｋ４がポリゴンミラー３２０ｂの反射面３２１への回転軸線方向Ｚにおける互いに異なる入射角度φｙ１〜φｙ４，φｍ１〜φｍ４，φｃ１〜φｃ４，φｋ１〜φｋ４でそれぞれ入射するように配設されている。
【０１９６】
ここで、回転軸線方向Ｚにおける入射角度φｙ１〜φｙ４，φｍ１〜φｍ４，φｃ１〜φｃ４，φｋ１〜φｋ４は、回転方向Ｅにおける入射角度θ１〜θ４（図４参照）を０度とした場合のレーザビームＬ１〜Ｌ４の光軸と、反射点Ｐを通る回転軸線方向Ｚに垂直な仮想直線α２とのなす角度である。ここでは、レーザビームＬｙ１，Ｌｍ１，Ｌｃ１，Ｌｋ１の入射角度φｙ１，φｍ１，φｃ１，φｋ１とレーザビームＬｙ４，Ｌｍ４，Ｌｃ４，Ｌｋ４の入射角度φｙ４，φｍ４，φｃ４，φｋ４とがそれぞれ絶対値で同一又は略同一の値となっており、レーザビームＬｙ２，Ｌｍ２，Ｌｃ２，Ｌｋ２の入射角度φｙ２，φｍ２，φｃ２，φｋ２とレーザビームＬｙ３，Ｌｍ３，Ｌｃ３，Ｌｋ３の入射角度φｙ３，φｍ３，φｃ３，φｋ３とがそれぞれ絶対値で同一又は略同一の値となっている。すなわち、レーザビームＬｙ４，Ｌｍ４，Ｌｃ４，Ｌｋ４の入射角度φｙ４，φｍ４，φｃ４，φｋ４がＡ°である場合には、レーザビームＬｙ１，Ｌｍ１，Ｌｃ１，Ｌｋ１の入射角度φｙ１，φｍ１，φｃ１，φｋ１が−Ａ°とされており、レーザビームＬｙ３，Ｌｍ３，Ｌｃ３，Ｌｋ３の入射角度φｙ３，φｍ３，φｃ３，φｋ３がＡ°より大きいＢ°である場合には、レーザビームＬｙ２，Ｌｍ２，Ｌｃ２，Ｌｋ２の入射角度φｙ２，φｍ２，φｃ２，φｋ２が−Ｂ°とされている。
【０１９７】
（光源の配列）
光源ＬＳｙ１〜ＬＳｙ４，ＬＳｍ１〜ＬＳｍ４，ＬＳｃ１〜ＬＳｃ４，ＬＳｋ１〜ＬＳｋ４の配列については、前記した第１実施形態の場合と同様に説明することができる。よって、第１実施形態で説明した図６を参照しながら説明する。なお、図６において、光出射部ＬＴ１〜ＬＴ４は、光出射部ＬＴｙ１〜ＬＴｙ４，ＬＴｍ１〜ＬＴｍ４，ＬＴｍ１〜ＬＴｍ４，ＬＴｍ１〜ＬＴｍ４として説明する。このことは、後述する図５につても同様である。
【０１９８】
本第２実施形態では、各光源部ＬＳｙ，ＬＳｍ，ＬＳｃ，ＬＳｋにおいて、複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、回転方向Ｅ及び回転軸線方向Ｚに対する斜め方向Ｗに沿って並設されている。具体的には、光源ＬＳｙ１〜ＬＳｙ４，ＬＳｍ１〜ＬＳｍ４，ＬＳｃ１〜ＬＳｃ４，ＬＳｋ１〜ＬＳｋ４は、光出射部ＬＴｙ１〜ＬＴｙ４，ＬＴｍ１〜ＬＴｍ４，ＬＴｃ１〜ＬＴｃ４，ＬＴｋ１〜ＬＴｋ４の中心（レーザビームＬｙ１〜Ｌｙ４，Ｌｍ１〜Ｌｍ４，Ｌｃ１〜Ｌｃ４，Ｌｋ１〜Ｌｋ４の光軸）の位置が斜め方向Ｗに沿った仮想直線β１を通るように配設されている。
【０１９９】
（光源とポリゴンミラーとの間の距離が同一又は略同一）
光源ＬＳｙ１〜ＬＳｙ４，ＬＳｍ１〜ＬＳｍ４，ＬＳｃ１〜ＬＳｃ４，ＬＳｋ１〜ＬＳｋ４とポリゴンミラー３２０ｂとの間の直線距離ｒについては、前記した第１実施形態の場合と同様に説明することができる。よって、第１実施形態で説明した図４、図５及び図７を参照しながら説明する。
【０２００】
本第２実施形態では、各光源部ＬＳｙ，ＬＳｍ，ＬＳｃ，ＬＳｋにおいて、複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、光出射部ＬＴｙ１〜ＬＴｙ４，ＬＴｍ１〜ＬＴｍ４，ＬＴｃ１〜ＬＴｃ４，ＬＴｋ１〜ＬＴｋ４から反射面３２１における反射点Ｐまでの直線距離ｒが何れも同一又は略同一距離となるように配設されている。具体的には、光源ＬＳｙ１〜ＬＳｙ４，ＬＳｍ１〜ＬＳｍ４，ＬＳｃ１〜ＬＳｃ４，ＬＳｋ１〜ＬＳｋ４は、光出射部ＬＴｙ１〜ＬＴｙ４，ＬＴｍ１〜ＬＴｍ４，ＬＴｃ１〜ＬＴｃ４，ＬＴｋ１〜ＬＴｋ４先端において中心（レーザビームＬｙ１〜Ｌｙ４，Ｌｍ１〜Ｌｍ４，Ｌｃ１〜Ｌｃ４，Ｌｋ１〜Ｌｋ４の光軸）の位置が反射点Ｐを中心にした直線距離（半径）離ｒの仮想円弧γ（図７参照）を通るように配設されている。
【０２０１】
（ビーム間の相対角度が同一又は略同一）
ビーム間の相対角度については、前記した第１実施形態の場合と同様に説明することができる。よって、第１実施形態で説明した図４及び図５を参照しながら説明する。なお、図４及び図５において、相対角度θ１２，θ２３，θ３４は、相対角度（θｙ１２，θｙ２３，θｙ３４），（θｍ１２，θｍ２３，θｍ３４），（θ１２ｃ，θ２３ｃ，θ３４ｃ），（θ１２ｋ，θ２３ｋ，θ３４ｋ）とし、相対角度φ１２，φ２３，φ３４は、相対角度（φｙ１２，φｙ２３，φｙ３４），（φｍ１２，φｍ２３，φｍ３４），（φ１２ｃ，φ２３ｃ，φ３４ｃ），（φ１２ｋ，φ２３ｋ，φ３４ｋ）として説明する。
【０２０２】
本第２実施形態では、各光源部ＬＳｙ，ＬＳｍ，ＬＳｃ，ＬＳｋにおいて、複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、隣り合うレーザビーム（Ｌｙ１，Ｌｙ２），（Ｌｙ２，Ｌｙ３），（Ｌｙ３，Ｌｙ４）間、隣り合うレーザビーム（Ｌｍ１，Ｌｍ２），（Ｌｍ２，Ｌｍ３），（Ｌｍ３，Ｌｍ４）間、隣り合うレーザビーム（Ｌｃ１，Ｌｃ２），（Ｌｃ２，Ｌｃ３），（Ｌｃ３，Ｌｃ４）間、隣り合うレーザビーム（Ｌｋ１，Ｌｋ２），（Ｌｋ２，Ｌｋ３），（Ｌｋ３，Ｌｋ４）間の回転方向Ｅにおける相対角度（θｙ１２，θｙ２３，θｙ３４），（θｍ１２，θｍ２３，θｍ３４），（θｃ１２，θｃ２３，θｃ３４），（θｋ１２，θｋ２３，θｋ３４）（図４参照）がそれぞれ予め設定した角度となるように配設されている。つまり、回転方向Ｅにおける入射角度（θｙ１，θｙ２），（θｍ１，θｍ２），（θｃ１，θｃ２），（θｋ１，θｋ２）の差の絶対値が相対角度（θｙ１２，θｍ１２，θｃ１２，θｋ１２）とされ、回転方向Ｅにおける入射角度（θｙ２，θｙ３），（θｍ２，θｍ３），（θｃ２，θｃ３），（θｋ２，θｋ３）の差の絶対値が相対角度（θｙ２３，θｍ２３，θｃ２３，θｋ２３）とされ、回転方向Ｅにおける入射角度（θｙ３，θｙ４），（θｍ３，θｍ４），（θｃ３，θｃ４），（θｋ３，θｋ４）の差の絶対値が相対角度（θｙ３４，θｍ３４，θｃ３４，θｋ３４）とされている。これらの相対角度（θｙ１２，θｍ１２，θｃ１２，θｋ１２），（θｙ２３，θｍ２３，θｃ２３，θｋ２３），（θｙ３４，θｍ３４，θｃ３４，θｋ３４）は、ここでは、何れも同一又は略同一の角度となっている。
【０２０３】
また、複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、隣り合うレーザビーム（Ｌｙ１，Ｌｙ２），（Ｌｙ２，Ｌｙ３），（Ｌｙ３，Ｌｙ４）間、隣り合うレーザビーム（Ｌｍ１，Ｌｍ２），（Ｌｍ２，Ｌｍ３），（Ｌｍ３，Ｌｍ４）間、隣り合うレーザビーム（Ｌｃ１，Ｌｃ２），（Ｌｃ２，Ｌｃ３），（Ｌｃ３，Ｌｃ４）間、隣り合うレーザビーム（Ｌｋ１，Ｌｋ２），（Ｌｋ２，Ｌｋ３），（Ｌｋ３，Ｌｋ４）間の回転軸線方向Ｚにおける相対角度（φｙ１２，φｙ２３，φｙ３４），（φｍ１２，φｍ２３，φｍ３４），（φｃ１２，φｃ２３，φｃ３４），（φｋ１２，φｋ２３，φｋ３４）（図５参照）がそれぞれ予め設定した角度となるように配設されている。つまり、回転軸線方向Ｚにおける入射角度（φｙ１，φｙ２），（φｍ１，φｍ２），（φｃ１，φｃ２），（φｋ１，φｋ２）の差の絶対値が相対角度（φｙ１２，φｍ１２，φｃ１２，φｋ１２）とされ、回転軸線方向Ｚにおける入射角度（φｙ２，φｙ３），（φｍ２，φｍ３），（φｃ２，φｃ３），（φｋ２，φｋ３）の差の絶対値が相対角度（φｙ２３，φｍ２３，φｃ２３，φｋ２３）とされ、回転軸線方向Ｚにおける入射角度（φｙ３，φｙ４），（φｍ３，φｍ４），（φｃ３，φｃ４），（φｋ３，φｋ４）の差の絶対値が相対角度（φｙ３４，φｍ３４，φｃ３４，φｋ３４）とされている。これらの相対角度（φｙ１２，φｍ１２，φｃ１２，φｋ１２），（φｙ２３，φｍ２３，φｃ２３，φｋ２３），（φｙ３４，φｍ３４，φｃ３４，φｋ３４）は、ここでは、何れも同一又は略同一の角度となっている。
【０２０４】
（光源とポリゴンミラーとの間で反射部材を持たない構成）
光源ＬＳｙ１〜ＬＳｙ４，ＬＳｍ１〜ＬＳｍ４，ＬＳｃ１〜ＬＳｃ４，ＬＳｋ１〜ＬＳｋ４とポリゴンミラー３２０ｂとの間で反射部材を持たない構成については、前記した第１実施形態の場合と同様に説明することができる。
【０２０５】
すなわち、本第２実施形態では、ポリゴンミラー３２０ｂの反射面３２１との間の入射光学系３１０ｂには、レーザビームＬｙ１〜Ｌｙ４，Ｌｍ１〜Ｌｍ４，Ｌｃ１〜Ｌｃ４，Ｌｋ１〜Ｌｋ４を反射させる反射ミラー等の反射部材が設けられていない構成とされている。
【０２０６】
（レーザビームを同一平面上に出射する構成）
レーザビームＬｙ１〜Ｌｙ４，Ｌｍ１〜Ｌｍ４，Ｌｃ１〜Ｌｃ４，Ｌｋ１〜Ｌｋ４を同一平面上に出射する構成については、前記した第１実施形態の場合と同様に説明することができる。よって、図８と共に第１実施形態で説明した図７を参照しながら説明する。なお、図７において、同一平面α３は、同一平面α３ｙ，α３ｍ，α３ｃ，α３ｋとし、第１シリンドリカルレンズ３１５ａは、シリンドリカルレンズ３１５ｂとして説明する。
【０２０７】
本第２実施形態では、各光源部ＬＳｙ，ＬＳｍ，ＬＳｃ，ＬＳｋにおいて、複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、それぞれのレーザビームＬｙ１〜Ｌｙ４，Ｌｍ１〜Ｌｍ４，Ｌｃ１〜Ｌｃ４，Ｌｋ１〜Ｌｋ４を回転軸線方向Ｚに交差する同一平面α３ｙ，α３ｍ，α３ｃ，α３ｋ上に出射するように配設されている。ここでは、同一平面α３ｙ，α３ｍ，α３ｃ，α３ｋは、仮想円弧γと、一端にある光源ＬＳｙ１，ＬＳｍ１，ＬＳｃ１，ＬＳｋ１からのレーザビームＬｙ１，Ｌｍ１，Ｌｃ１，Ｌｋ１に対応する辺β２と、他端にある光源ＬＳｙ４，ＬＳｍ４，ＬＳｃ４，ＬＳｋ４からのレーザビームＬｙ４，Ｌｍ４，Ｌｃ４，Ｌｋ４に対応する辺β３と、シリンドリカルレンズ３１５ｂに対応する辺β４とで扇形の平面の一部を構成している。
【０２０８】
（複数の色毎の同一平面を互いに平行とする構成）
本第２実施形態では、図８に示すように、複数の色毎に設けられた光源部ＬＳｙ，ＬＳｍ，ＬＳｃ，ＬＳｋにおいて、複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、複数の色毎の同一平面α３ｙ，α３ｍ，α３ｃ，α３ｋが回転軸線方向Ｚにおいて間隔をおいて互いに平行に重ねられた構成とされている。
【０２０９】
以上説明した光走査装置３００ｂでは、画像情報に基づく書き込み動作が行われるにあたり、イエロー用の光源部ＬＳｙから出射されたイエローの画像情報に対応するレーザビームＬｙ１〜Ｌｙ４は、ポリゴンミラー３２０ｂの反射面３２１で反射される。反射面３２１で反射された反射ビームＲｙ１〜Ｒｙ４は、主走査方向Ｘに走査され、第１ｆθレンズ３３１ｂを通過して、反射ミラー系３３３ｙで反射され、さらに第２ｆθレンズ３３１ｙを通過して、イエローに対応する感光体ドラム３ｙの表面（被走査面Ｆ）に入射する。マゼンタ用の光源部ＬＳｍから出射されたマゼンタの画像情報に対応するレーザビームＬｍ１〜Ｌｍ４は、ポリゴンミラー３２０ｂの反射面３２１で反射される。反射面３２１で反射された反射ビームＲｍ１〜Ｒｍ４は、主走査方向Ｘに走査され、第１ｆθレンズ３３１ｂを通過して、反射ミラー系３３３ｍで反射され、さらに第２ｆθレンズ３３１ｍを通過して、マゼンタに対応する感光体ドラム３ｍの表面（被走査面Ｆ）に入射する。シアン用の光源部ＬＳｃから出射されたシアンの画像情報に対応するレーザビームＬｃ１〜Ｌｃ４は、ポリゴンミラー３２０ｂの反射面３２１で反射される。反射面３２１で反射された反射ビームＲｃ１〜Ｒｃ４は、主走査方向Ｘに走査され、第１ｆθレンズ３３１ｂを通過して、反射ミラー系３３３ｃで反射され、さらに第２ｆθレンズ３３１ｃを通過して、シアンに対応する感光体ドラム３ｃの表面（被走査面Ｆ）に入射する。ブラック用の光源部ＬＳｋから出射されたブラックの画像情報に対応するレーザビームＬｋ１〜Ｌｋ４は、ポリゴンミラー３２０ｂの反射面３２１で反射される。反射面３２１で反射された反射ビームＲｋ１〜Ｒｋ４は、主走査方向Ｘに走査され、第１ｆθレンズ３３１ｂを通過して、反射ミラー系３３３ｋで反射され、さらに第２ｆθレンズ３３１ｋを通過して、ブラックに対応する感光体ドラム３ｋの表面（被走査面Ｆ）に入射する。
【０２１０】
なお、各光源部ＬＳｙ，ＬＳｍ，ＬＳｃ，ＬＳｋにおいて、レーザビームＬｙ１〜Ｌｙ４，Ｌｍ１〜Ｌｍ４，Ｌｃ１〜Ｌｃ４，Ｌｋ１〜Ｌｋ４のポリゴンミラー３２０ｂの反射面３２１への反射点Ｐは、１箇所の点となるようにしたが、少なくとも一つが他の反射点と離間するようになっていてもよい。
【０２１１】
（同一平面を位置調整可能とする構成）
第１及び第２実施形態において、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４は、実質的に同様の調整を行うため、以下の説明では、第１及び第２実施形態をまとめて説明する。
【０２１２】
本第１及び第２実施形態では、光源部ＬＳａ、複数の色毎に設けられた光源部ＬＳｙ，ＬＳｍ，ＬＳｃ，ＬＳｋにおいて、複数の光源ＬＳ１〜ＬＳ４、複数の光源ＬＳｙ１〜ＬＳｙ４，ＬＳｍ１〜ＬＳｍ４，ＬＳｃ１〜ＬＳｃ４，ＬＳｋ１〜ＬＳｋ４は、同一平面α３、同一平面α３ｙ，α３ｍ，α３ｃ，α３ｋを回転軸線方向Ｚに位置調整可能とされている。
【０２１３】
詳しくは、光源部ＬＳａ、光源部ＬＳｙ，ＬＳｍ，ＬＳｃ，ＬＳｋは、複数の光源ＬＳ１〜ＬＳ４、複数の光源ＬＳｙ１〜ＬＳｙ４，ＬＳｍ１〜ＬＳｍ４，ＬＳｃ１〜ＬＳｃ４，ＬＳｋ１〜ＬＳｋ４及び入射光学系３１０ａ、入射光学系３１０ｂをそれぞれ一体構造とした光源ユニットとされている。
【０２１４】
光源部ＬＳａ、光源部ＬＳｙ，ＬＳｍ，ＬＳｃ，ＬＳｋは、複数の光源ＬＳ１〜ＬＳ４、複数の光源ＬＳｙ１〜ＬＳｙ４，ＬＳｍ１〜ＬＳｍ４，ＬＳｃ１〜ＬＳｃ４，ＬＳｋ１〜ＬＳｋ４を各光源部毎に固定して支持し、かつ、光走査装置３００ａ，３００ｂの第１本体フレーム（図示せず）に対して回転軸線方向Ｚに沿って移動自在に設けられた第１支持部（図示せず）をそれぞれ備え、各光源部毎の第１支持部が回転軸線方向Ｚに往復移動する調整部材（具体的には、軸線回りに一方又は他方に回転されることで回転軸線方向Ｚに沿って往復移動する雄ねじ等の調整部材）（図示せず）によって光走査装置３００ｂの前記第１本体フレームにそれぞれ取り付けられている構成を例示できる。
【０２１５】
（反射点を中心に位置調整可能とする構成）
本第２実施形態では、光源部ＬＳａ、光源部ＬＳｙ，ＬＳｍ，ＬＳｃ，ＬＳｋは、複数の光源ＬＳ１〜ＬＳ４、複数の光源ＬＳｙ１〜ＬＳｙ４，ＬＳｍ１〜ＬＳｍ４，ＬＳｃ１〜ＬＳｃ４，ＬＳｋ１〜ＬＳｋ４及び入射光学系３１０ａ、入射光学系３１０ｂをそれぞれ一体構造とした光源ユニットとされている。
【０２１６】
光源部ＬＳａ、光源部ＬＳｙ，ＬＳｍ，ＬＳｃ，ＬＳｋは、複数の光源ＬＳ１〜ＬＳ４、複数の光源ＬＳｙ１〜ＬＳｙ４，ＬＳｍ１〜ＬＳｍ４，ＬＳｃ１〜ＬＳｃ４，ＬＳｋ１〜ＬＳｋ４及び入射光学系３１０ｂをそれぞれ一体構造とした光源ユニットとされている。
【０２１７】
光源部ＬＳａ、光源部ＬＳｙ，ＬＳｍ，ＬＳｃ，ＬＳｋは、反射面３２１の反射点Ｐを中心に一体的に位置調整可能とされている。例えば、光源部ＬＳａ、光源部ＬＳｙ，ＬＳｍ，ＬＳｃ，ＬＳｋは、反射面３２１の反射点Ｐを中心とする同一平面α３、同一平面αｙ３，αｍ３，αｃ３，αｋ３に沿った第１周方向に移動可能とされている。また、光源部ＬＳａ、光源部ＬＳｙ，ＬＳｍ，ＬＳｃ，ＬＳｋは、反射面３２１の反射点Ｐを中心とする同一平面α３、同一平面αｙ３，αｍ３，αｃ３，αｋ３に直交する平面に沿った第２周方向に移動可能とされている。
【０２１８】
詳しくは、光走査装置３００ａ，３００ｂは、光源部ＬＳａ、光源部ＬＳｙ，ＬＳｍ，ＬＳｃ，ＬＳｋにおける前記第１支持部を固定して支持し、かつ、光走査装置３００ｂの、反射点Ｐを中心とした曲面形状を有する第２本体フレームに対して前記第１周方向に沿って移動自在に設けられた、反射点Ｐを中心とした曲面形状を有する第２支持部（図示せず）をそれぞれ備え、各光源部毎の第２支持部が前記第１周方向に往復移動する調整部材（具体的には、軸線回りに一方又は他方に回転されることで前記第１周方向に沿って往復移動する雄ねじ等の調整部材）（図示せず）によって光走査装置３００ａ，３００ｂの前記第２本体フレームにそれぞれ取り付けられている構成を例示できる。
【０２１９】
また、光走査装置３００ａ，３００ｂは、前記第１支持部又は前記第２支持部を固定して支持し、かつ、光走査装置３００ａ，３００ｂの、反射点Ｐを中心とした曲面形状を有する第３本体フレームに対して前記第２周方向に沿って移動自在に設けられた、反射点Ｐを中心とした曲面形状を有する第３支持部（図示せず）をそれぞれ備え、前記第３支持部が前記第２周方向に往復移動する調整部材（具体的には、軸線回りに一方又は他方に回転されることで前記第２周方向に沿って往復移動する雄ねじ等の調整部材）（図示せず）によって光走査装置３００ａ，３００ｂの前記第３本体フレームに取り付けられている構成を例示できる。
【０２２０】
また、個々の光源ＬＳ１〜ＬＳ４、個々の光源ＬＳｙ１〜ＬＳｙ４，ＬＳｍ１〜ＬＳｍ４，ＬＳｃ１〜ＬＳｃ４，ＬＳｋ１〜ＬＳｋ４が反射面３２１の反射点Ｐを中心にそれぞれ位置調整可能とされていてもよい。この場合、光走査装置３００ａ，３００ｂは、個々の光源ＬＳ１〜ＬＳ４、個々の光源ＬＳｙ１〜ＬＳｙ４，ＬＳｍ１〜ＬＳｍ４，ＬＳｃ１〜ＬＳｃ４，ＬＳｋ１〜ＬＳｋ４を前記第１周方向及び／又は前記第２周方向に沿って移動自在に支持し、かつ、光走査装置３００ｂの第４本体フレームに設けられた、反射点Ｐを中心とした曲面形状を有する第４支持部（図示せず）を備え、個々の光源ＬＳ１〜ＬＳ４、個々の光源ＬＳｙ１〜ＬＳｙ４，ＬＳｍ１〜ＬＳｍ４，ＬＳｃ１〜ＬＳｃ４，ＬＳｋ１〜ＬＳｋ４が前記第１周方向及び／又は前記第２周方向に往復移動する調整部材（具体的には、軸線回りに一方又は他方に回転されることで前記第１周方向及び／又は前記第２周方向に沿って往復移動する雄ねじ等の調整部材）（図示せず）によって前記第４支持部に取り付けられている構成を例示できる。
【０２２１】
（画像書き込み制御及びビーム走査制御について）
第１及び第２実施形態において、画像書き込み制御及びビーム走査制御は、実質的に同様の制御を行うため、以下の説明では、第１及び第２実施形態をまとめて説明する。
【０２２２】
図１０及び図１１は、それぞれ、第１及び第２実施形態に係る光走査装置３００ａ，３００ｂを備えた画像形成装置１００，Ｄにおける制御部５０ａ，５０ｂのシステム構成を概略的に示すブロックである。
【０２２３】
制御部５０ａ，５０ｂは、例えば、マイクロコンピュータ等の処理装置５６ａ，５６ｂ及び記憶部５７ａ，５７ｂを備えている。記憶部５７ａ，５７ｂは、ＲＯＭ（Read Only Memory）、ＲＡＭ（Random Access Memory）及び不揮発性メモリを含んでいる。
【０２２４】
ＲＯＭは、処理装置５６ａ，５６ｂが実行する処理の手順である制御プログラムを格納するものである。ＲＡＭは、作業用のワークエリアを提供するものである。不揮発性メモリは、制御に必要なデータをバックアップして保持したり、各種データを保持したりしておくものである。
【０２２５】
なお、制御部５０ａ，５０ｂは、入力系に接続された各種センサやスイッチなどの部材からの入力信号を入力する回路であって入力バッファやＡ／Ｄ変換回路を含む入力回路と、出力系に接続されたモータやソレノイド、ランプなどを駆動するドライバを含む出力回路とを備えている。制御部５０ａ，５０ｂは、入力回路からの入力信号に基づき、出力回路から出力される出力信号のタイミング制御を行うようになっている。
【０２２６】
制御部５０ａ，５０ｂは、画像形成装置１００，Ｄに設けられた画像メモリ６８ａ（６８１ａ，６８２ａ），６８ｂ（６８１ｂ、６８２ｂ）、入力部６９ａ，６９ｂ、原稿読取部１０２、原稿読取装置Ｂ及び光走査装置３００ａ，３００ｂに接続されている。制御部５０ａ，５０ｂは、原稿画像の原稿読取部１０２、原稿読取装置Ｂによる読み取り動作を制御する。制御部５０ａ，５０ｂは、入力部６９ａ，６９ｂからの印刷データのラスタ画像データをページ毎に画像メモリ６８１ａ，６８１ｂに記憶し、或いは／さらに、原稿画像を読み取って原稿画像データを生成する原稿読取部１０２、原稿読取装置Ｂからの原稿画像データを画像メモリ６８２ａ，６８２ｂにてページ毎に記憶する。制御部５０ａ，５０ｂは、帯電された感光体ドラム２１、感光体ドラム３ｙ，３ｍ，３ｃ，３ｋの被走査面Ｆへの光走査装置３００ａ，３００ｂによる書き込み動作を制御する。
【０２２７】
光走査装置３００ａ，３００ｂは、回転多面体３２０ａ，３２０ｂを回転駆動する回転駆動部３２２ａ，３２２ｂ、及び光源ＬＳａ、光源ＬＳｙ，ＬＳｍ，ＬＳｃ，ＬＳｋに接続されて画像情報を書き込む書込制御部４００ａ，４００ｂ、記憶部３５０ａ，３５０ｂをさらに備えている。光走査装置３００ａ，３００ｂによる感光体ドラム１２１、感光体ドラム３ｙ，３ｍ，３ｃ，３ｋへの書き込みは、制御部５０ａ，５０ｂから指示命令を受けた画像情報書込制御部４００ａ，４００ｂによって行われる。
【０２２８】
書込制御部４００ａ，４００ｂは、光源部ＬＳａ、光源部ＬＳｙ，ＬＳｍ，ＬＳｃ，ＬＳｋ、ビーム検知部３４０ａ、ビーム検知部３４０ｙ，３４０ｍ，３４０ｃ，３４０ｋ、回転駆動部３２２ａ，３２２ｂ、記憶部３５０ａ，３５０ｂに電気的に接続されている。
【０２２９】
光源部ＬＳａ、光源部ＬＳｙ，ＬＳｍ，ＬＳｃ，ＬＳｋは、書込制御部４００ａ，４００ｂからの指示信号によって画像情報を書き込む。
【０２３０】
ビーム検知部３４０ａ、ビーム検知部３４０ｙ，３４０ｍ，３４０ｃ，３４０ｋは、反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４を検知し、検知した反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４の検知信号を書込制御部４００ａ，４００ｂに送信する。
【０２３１】
回転駆動部３２２ａ，３２２ｂは、書込制御部４００ａ，４００ｂからの指示信号によってポリゴンミラー３２０ａ，３２０ｂを回転駆動する。
【０２３２】
記憶部３５０ａ，３５０ｂは、後述する第１及び第２検出制御で用いる各種データを予め記憶している。
【０２３３】
書込制御部４００ａ，４００ｂは、反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４によって、被走査面Ｆに画像情報を書き込む画像書き込み制御と、反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４の偏向走査を制御するビーム走査制御とを行う。
【０２３４】
本第１及び第２実施形態では、形成される画像の印刷速度の高速化が要求される場合には、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４は、画像形成装置１００，Ｄの入力部６９ａ，６９ｂからの入力操作に基づく書込制御部４００ａ，４００ｂからの指示の下、反射ビームＲ１〜Ｒ４，反射ビームＲｙ１〜Ｒｙ４，Ｒｍ１〜Ｒｍ４，Ｒｃ１〜Ｒｃ４，Ｒｋ１〜Ｒｋ４が同時に走査されることによりそれぞれ１ラインを構成する速度優先制御が行われる。また、形成される画像の高解像度化が要求される場合には、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４は、画像形成装置１００，Ｄの入力部６９ａ，６９ｂからの入力操作に基づく書込制御部４００，４００ｂからの指示の下、反射ビームＲ１〜Ｒ４，反射ビームＲｙ１〜Ｒｙ４，Ｒｍ１〜Ｒｍ４，Ｒｃ１〜Ｒｃ４，Ｒｋ１〜Ｒｋ４が同時に走査されることにより反射ビームＲ１〜Ｒ４，反射ビームＲｙ１〜Ｒｙ４，Ｒｍ１〜Ｒｍ４，Ｒｃ１〜Ｒｃ４，Ｒｋ１〜Ｒｋ４で１ラインを構成する解像度優先制御が行われる。これらの速度優先制御と解像度優先制御とは選択的に切り替え可能とされている。
【０２３５】
書込制御部４００ａ，４００ｂは、ビーム走査制御として、反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４を単一のビーム検知部３４０ａ、単一のビーム検知部３４０ｙ，３４０ｍ，３４０ｃ，３４０ｋで検知することにより、画像情報の書き込み開始位置を検出するようになっている。
【０２３６】
ところで、光走査装置３００ａ，３００ｂでは、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４からのレーザビームＬ１〜Ｌ４、レーザビームＬｙ１〜Ｌｙ４，Ｌｍ１〜Ｌｍ４，Ｌｃ１〜Ｌｃ４，Ｌｋ１〜Ｌｋ４を回転方向Ｅにおいてポリゴンミラー３２０ａ，３２０ｂの反射面３２１への互いに異なる入射角度θ１〜θ４、入射角度θｙ１〜θｙ４，θｍ１〜θｍ４，θｃ１〜θｃ４，θｋ１〜θｋ４でそれぞれ入射させるので、ポリゴンミラー３２０ａ，３２０ｂの回転によって偏向走査された反射面３２１からの反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４を単一のビーム検知部３４０ａ、単一のビーム検知部３４０ｙ，３４０ｍ，３４０ｃ，３４０ｋによって検出しつつ被走査面Ｆ上に画像情報を書き込むにあたっては、各反射ビームＲ１〜Ｒ４、各反射ビームＲｙ１〜Ｒｙ４，Ｒｍ１〜Ｒｍ４，Ｒｃ１〜Ｒｃ４，Ｒｋ１〜Ｒｋ４に対応する画像情報の被走査面Ｆへの書き出し開始位置が各反射ビームＲ１〜Ｒ４、各反射ビームＲｙ１〜Ｒｙ４，Ｒｍ１〜Ｒｍ４，Ｒｃ１〜Ｒｃ４，Ｒｋ１〜Ｒｋ４の間で異なってしまう（図１５参照）。
【０２３７】
そうすると、副走査方向Ｙにおける画像情報の書き出し位置が主走査方向Ｘにずれて被走査面Ｆに書き込まれることになり、これにより、画像情報の主走査方向Ｘにおける位置精度が悪化するという不都合を招くところ、本実施の形態に係る光走査装置３００ａ，３００ｂでは、次のようなビーム走査制御を行っている。
【０２３８】
以下では、説明を分かりやすくするために、第２実施形態についての説明は省略し、第１実施形態に代表させて説明する。なお、第２実施形態についての説明はここでは省略するが、第２実施形態についても同様に説明することができる。
【０２３９】
すなわち、書込制御部４００ａは、反射ビームＲ１〜Ｒ４に対応する画像情報の被走査面Ｆへの書き出し開始位置を、予め設定した規定書き出し位置に補正する構成とされている。
【０２４０】
本第１実施形態では、ポリゴンミラー３２０ａの回転軸線方向ＺにおいてレーザビームＬ１〜Ｌ４を反射面３２１への互いに異なる入射角度θ１〜θ４でそれぞれ入射させる構成とされているので、書込制御部４００ａは、反射ビームＲ１〜Ｒ４に対応する画像情報の被走査面Ｆへの書き出し開始位置を主走査方向Ｘで一致させる構成とされている。
【０２４１】
本第１実施形態では、書込制御部４００ａは、第１検出制御又は第２検出制御を行うようになっている。書込制御部４００ａは、第１検出制御と、第２検出制御とを切り替え可能な構成とされている。
【０２４２】
（第１検出制御）
第１検出制御は、反射ビームＲ１〜Ｒ４のうち何れか一つの反射ビームを基準とした基準反射ビーム（例えばＲ４）のビーム検知部３４０ａによる検出タイミングＴｒ（後述する図１２参照）に対応する画像情報の基準書き出し開始タイミングＴｓ（図１２参照）に対して基準反射ビーム以外の反射ビーム（例えばＲ１〜Ｒ３）に対応する画像情報の書き出し開始タイミングＴ１，Ｔ２，Ｔ３（図１２参照）を設定する。
【０２４３】
詳しくは、第１検出制御は、複数の光源ＬＳ１〜ＬＳ４のうち基準反射ビーム（例えばＲ４）に対応する光源（例えばＬＳ４）の位置に対する基準反射ビーム以外の反射ビーム（例えばＲ１〜Ｒ３）に対応する光源（例えばＬＳ１〜ＬＳ３）の位置の回転方向Ｅにおける変位量に基づいて基準書き出し開始タイミングに対する書き出し開始タイミングの時間差を設定するようになっている。
【０２４４】
具体的には、記憶部３５０ａ（図１０参照）には、ポリゴンミラー３２０ａの同一の回転位置において基準反射ビーム（例えばＲ４）の被走査面Ｆにおける基準走査位置（例えばＱ４、図３参照）に対する基準反射ビーム以外の反射ビーム（例えばＲ１〜Ｒ３）の被走査面Ｆにおける走査位置（例えばＱ１，Ｑ２，Ｑ３）の走査距離の変位量が予め記憶されている。
【０２４５】
基準反射ビーム（例えばＲ４）の被走査面Ｆにおける基準走査位置（例えばＱ４）に対する基準反射ビーム以外の反射ビーム（例えばＲ１〜Ｒ３）の被走査面Ｆにおける走査位置（例えばＱ１，Ｑ２，Ｑ３）の走査距離の変位量は、例えば、次のようにして求めることができる。
【０２４６】
すなわち、基準走査位置（例えばＱ４）に対する基準反射ビーム以外の反射ビーム（例えばＲ１〜Ｒ３）の被走査面Ｆにおける走査位置（例えばＱ１，Ｑ２，Ｑ３）の走査距離の変位量（図４参照）は、レーザビームＬ１〜Ｌ４のうち隣り合うレーザビーム間の回転方向Ｅにおける相対角度θ１２，θ２３，θ３４（図４参照）及び直線距離ｒを掛け合わせた弧の長さｈ１２，ｈ２３，ｈ３４（図４参照）と、主走査方向Ｘにおけるｆθレンズ３３１ａの倍率に対応する係数Ｋｘとを掛け合わせた相対距離Ｈ１２（＝ｈ１２×Ｋｘ），Ｈ２３（＝ｈ２３×Ｋｘ），Ｈ３４（＝ｈ３４×Ｋｘ）とされている。
【０２４７】
ここでは、相対角度θ１２，θ２３，θ３４は、何れも同一又は略同一角度とされており、弧の長さｈ１２，ｈ２３，ｈ３４も何れも同一又は略同一距離とされている。よって、相対距離Ｈ１２，Ｈ２３，Ｈ３４は、何れも同一又は略同一距離とされている。
【０２４８】
また、記憶部３５０ａには、反射ビームＲ１〜Ｒ４を被走査面Ｆに走査する走査速度Ｖａが予め記憶されている。
【０２４９】
基準走査位置（例えばＱ４）に対して、基準反射ビーム以外の反射ビーム（例えばＲ３）の被走査面Ｆにおける走査位置（例えばＱ３）の主走査方向Ｘにおける走査距離の第１変位量Ｈ１（図４参照）は、相対距離Ｈ３４とされており、基準反射ビーム以外の反射ビーム（例えばＲ２）の被走査面Ｆにおける走査位置（例えばＱ２）の主走査方向Ｘにおける走査距離の第２変位量Ｈ２（図４参照）は、相対距離Ｈ３４と相対距離Ｈ２３との合計（相対距離Ｈ３４の２倍）とされており、基準反射ビーム以外の反射ビーム（例えばＲ１）の被走査面Ｆにおける走査位置（例えばＱ１）の主走査方向Ｘにおける走査距離の第３変位量Ｈ３（図４参照）は、相対距離Ｈ３４と相対距離Ｈ２３と相対距離Ｈ１２との合計（相対距離Ｈ３４の３倍）とされている。
【０２５０】
そして、基準書き出し開始タイミングに対する書き出し開始タイミングの時間差（図１２参照）は、第１変位量Ｈ１［ｍｍ］に対して反射ビームを被走査面Ｆに走査する走査速度Ｖａ［ｍｍ／ｓ］で除した第１時間差ｔ１（＝Ｈ１／Ｖａ）［ｓ］、第２変位量Ｈ２［ｍｍ］に対して反射ビームＲ１〜Ｒ４を被走査面Ｆに走査する走査速度Ｖａ［ｍｍ／ｓ］で除した第２時間差ｔ２（＝Ｈ２／Ｖａ）［ｓ］、及び第３変位量Ｈ３［ｍｍ］に対して反射ビームを被走査面Ｆに走査する走査速度Ｖａ［ｍｍ／ｓ］で除した第３時間差ｔ３（＝Ｈ３／Ｖａ）［ｓ］とされている。
【０２５１】
図１２は、第１検出制御により被走査面Ｆへの画像情報の書き出し開始タイミングを補正する補正例を示すタイミングチャートである。
【０２５２】
図１２に示すように、ビーム検知部３４０ａにて基準反射ビーム（例えばＲ４）が検知された後、予め設定した時間ｔｒ経過後の基準書き出し開始タイミングＴｓで基準反射ビーム（例えばＲ４）に対応する画像情報を書き出し、基準反射ビーム（例えばＲ４）の検知から第１時間差ｔ１経過後に基準反射ビーム（例えばＲ４）以外の一つ目の反射ビーム（例えばＲ３）に対応する画像情報を書き出し、基準反射ビーム（例えばＲ４）の検知から第２時間差ｔ２経過後に基準反射ビーム（例えばＲ４）以外の二つ目の反射ビーム（例えばＲ２）に対応する画像情報を書き出し、さらに、基準反射ビーム（例えばＲ４）の検知から第３時間差ｔ３経過後に基準反射ビーム（例えばＲ４）以外の三つ目の反射ビーム（例えばＲ１）に対応する画像情報を書き出す。
【０２５３】
なお、ここでは、基準反射ビームを反射ビームＲ４として説明したが、基準反射ビームを反射ビームＲ１〜Ｒ３の何れかの反射ビームにしても同様に説明することができる。
【０２５４】
（第２検出制御）
第２検出制御は、反射ビームＲ１〜Ｒ４のビーム検知部３４０ａによる複数の検出タイミングにそれぞれ対応する複数の画像情報の書き出し開始タイミングＴａ，Ｔｂ，Ｔｃ，Ｔｄ（後述する図１３参照）をそれぞれ設定する。
【０２５５】
図１３は、第２検出制御により被走査面Ｆへの画像情報の書き出し開始タイミングを補正する補正例を示すタイミングチャートである。
【０２５６】
図１３に示すように、第２検出制御は、反射ビームＲ１〜Ｒ４のビーム検知部３４０ｂによる検知タイミングに対する書き出し開始タイミングをそれぞれ設定するようになっている。
【０２５７】
具体的には、記憶部３５０ａには、反射ビームＲ１のビーム検知部３４０ａによる検知タイミングＴｄ１から反射ビームＲ１による被走査面Ｆへの画像情報の書き出し開始位置までの第１時間ｔａと、反射ビームＲ２のビーム検知部３４０ａによる検知タイミングＴｄ２から反射ビームＲ２による被走査面Ｆへの画像情報の書き出し開始位置までの第２時間ｔｂと、反射ビームＲ３のビーム検知部３４０ａによる検知タイミングＴｄ３から反射ビームＲ３による被走査面Ｆへの画像情報の書き出し開始位置までの第３時間ｔｃと、反射ビームＲ４のビーム検知部３４０ａによる検知タイミングＴｄ４から反射ビームＲ４による被走査面Ｆへの画像情報の書き出し開始位置までの第４時間ｔｄとが予め記憶されている。
【０２５８】
ビーム検知部３４０ａにて反射ビームＲ４が検知された後、予め設定した第１時間ｔａ経過後の書き出し開始タイミングＴａで反射ビームＲ４に対応する画像情報を書き出し、ビーム検知部３４０ａにて反射ビームＲ３が検知された後、予め設定した第２時間ｔｂ経過後の書き出し開始タイミングＴｂで反射ビームＲ３に対応する画像情報を書き出し、ビーム検知部３４０ａにて反射ビームＲ２が検知された後、予め設定した第３時間ｔｃ経過後の書き出し開始タイミングＴｃで反射ビームＲ２に対応する画像情報を書き出し、ビーム検知部３４０ａにて反射ビームＲ１が検知された後、予め設定した第４時間ｔｄ経過後の書き出し開始タイミングＴｄで反射ビームＲ１に対応する画像情報を書き出す。
【０２５９】
なお、本第第１及び第２検出制御では、ビーム検知部３４０ａ，３４０ｂによる検知タイミングについて立ち上がりを検出するようにしたが、立ち下がりを検出するようにしてもよい。
【０２６０】
また、反射ビームＲ１〜Ｒ４の被走査面Ｆにおける走査位置の副走査方向Ｙにおける相対距離（図５参照）は、レーザビームＬ１〜Ｌ４のうち隣り合うレーザビーム（Ｌ１，Ｌ２），（Ｌ２，Ｌ３），（Ｌ３，Ｌ４）間の回転軸線方向Ｚにおける相対角度φ１２，φ２３，φ３４及び直線距離ｒを掛け合わせた弧の長さｉ１２，ｉ２３，ｉ３４と、副走査方向Ｙにおけるｆθレンズ３３１ａの倍率に対応する係数Ｋｙとを掛け合わせた相対距離Ｉ（＝ｉ１２×Ｋｙ），Ｉ２３（＝ｉ２３×Ｋｘ），Ｉ３４（＝ｉ３４×Ｋｘ）（図５参照）とされている。
【０２６１】
ここでは、相対角度φ１２，φ２３，φ３４は、何れも同一又は略同一角度とされており、弧の長さｉ１２，ｉ２３，ｉ３４も何れも同一又は略同一距離とされている。よって、相対距離Ｉ１２，Ｉ２３，Ｉ３４は、何れも同一又は略同一距離とされている。
【０２６２】
（第１及び第２実施形態について）
以上説明したように本第１及び第２実施形態によれば、反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４に対応する画像情報の被走査面Ｆへの書き出し開始位置を規定書き出し位置に補正するので、画像情報の書き出し位置の主走査方向Ｘでのずれを抑制でき、これにより、被走査面Ｆに書き込まれる画像情報の主走査方向Ｘにおける位置精度を向上させることが可能となる。
【０２６３】
また、本第１及び第２実施形態では、基準反射ビーム（例えば反射ビームＲ４、反射ビームＲｙ４，Ｒ４ｍ，Ｒｃ４Ｒｋ４）のビーム検知部３４０ａ，３４０ｂによる検出タイミングを利用するので、検出する反射ビームの数が少ない分、ビーム検知部３４０ａ，３４０ｂによる誤検出を少なくすることができ、それだけ精度よく補正を行うことが可能となる。しかも、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４が互いに接近して、反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４のビーム検知部３４０ａ，３４０ｂによる検知が重複して個々の反射ビームの検知信号を検出できない（区別がつかない）ことがあっても、反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４全体を一つの検知信号とした場合の検知信号の端にくる反射ビーム（すなわち、検知信号の立ち上がり又は立ち下がりに対応する反射ビーム）を基準反射ビームとすることで、検知信号の立ち上がり又は立ち下がりで基準反射ビームを検出することができる。
【０２６４】
また、本第１及び第２実施形態では、走査距離の第１から第３変位量Ｈ１，Ｈ２，Ｈ３に基づいて基準書き出し開始タイミングに対する書き出し開始タイミングの第１から第３時間差ｔ１，ｔ２，ｔ３を設定することで、簡単にかつ容易に補正を行うことが可能となる。
【０２６５】
また、本第１及び第２実施形態では、第１から第３時間差ｔ１，ｔ２，ｔ３を走査距離の第１から第３変位量Ｈ１，Ｈ２，Ｈ３［ｍｍ］と走査速度Ｖａ［ｍｍ／ｓ］とから算出した時間差とすることで、第１から第３時間差ｔ１，ｔ２，ｔ３を走査距離の第１から第３変位量Ｈ１，Ｈ２，Ｈ３と走査速度Ｖａとから容易に算出することが可能となる。
【０２６６】
また、本第１及び第２実施形態では、反射ビームＲ１〜Ｒ４、反射ビームＲｙ１〜Ｒｙ４，Ｒｍ１〜Ｒｍ４，Ｒｃ１〜Ｒｃ４，Ｒｋ１〜Ｒｋ４のビーム検知部３４０ａ，３４０ｂによる複数の検出タイミングにそれぞれ対応する複数の画像情報の書き出し開始タイミングをそれぞれ設定することで、走査距離の第１から第３変位量Ｈ１，Ｈ２，Ｈ３を利用して第１から第３時間差ｔ１，ｔ２，ｔ３を算出しなくてもよく、それだけ簡単な制御構成で補正を行うことが可能となる。
【０２６７】
また、本第１及び第２実施形態では、回転軸線方向Ｚにおける入射角度θ１〜θ４、入射角度θｙ１〜θｙ４，θｍ１〜θｍ４，θｃ１〜θｃ４，θｋ１〜θｋ４が互いに異なることで、被走査面Ｆへの副走査方向Ｙにおける隣接する複数の画像情報の書き込みを同時に行うことができ、それだけ副走査方向Ｙで高解像度に或いは高速に画像情報を書き込むことができる。また、画像情報の被走査面Ｆへの書き出し開始位置を主走査方向Ｘで一致させる構成とされていることで、副走査方向Ｙにおける画像情報の書き出し位置の主走査方向Ｘでのずれを抑制することが可能となる。
【０２６８】
また、本第１及び第２実施形態では、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４が斜め方向Ｗに沿って並設されていることで、回転軸線方向ＺにおいてレーザビームＬ１〜Ｌ４、レーザビームＬｙ１〜Ｌｙ４，Ｌｍ１〜Ｌｍ４，Ｌｃ１〜Ｌｃ４，Ｌｋ１〜Ｌｋ４を反射面３２１への互いに異なる入射角度θ１〜θ４、入射角度θｙ１〜θｙ４，θｍ１〜θｍ４，θｃ１〜θｃ４，θｋ１〜θｋ４でそれぞれ入射させる構成を容易に実現することが可能となる。
【０２６９】
なお、本第１及び第２実施形態において、回転軸線方向Ｚにおける入射角度φ１〜φ４、入射角度φｙ１〜φｙ４，φｍ１〜φｍ４，φｃ１〜φｃ４，φｋ１〜φｋ４が同一又は略同一とされてもよい。こうすることで、被走査面Ｆへの主走査方向Ｘにおける隣接する複数の画像情報の書き込みを同時に行うことができ、それだけ主走査方向Ｘで高解像度に画像情報を書き込むことができる。また、隣り合う反射ビーム（Ｒ１，Ｒ２），（Ｒ２，Ｒ３），（Ｒ３，Ｒ４）、隣り合う反射ビーム（Ｒ１ｙ，Ｒ２ｙ），（Ｒ２ｙ，Ｒ３ｙ），（Ｒ３ｙ，Ｒ４ｙ）、（Ｒ１ｍ，Ｒ２ｍ），（Ｒ２ｍ，Ｒ３ｍ），（Ｒ３ｍ，Ｒ４ｍ）、（Ｒ１ｋ，Ｒ２ｋ），（Ｒ２ｋ，Ｒ３ｋ），（Ｒ３ｋ，Ｒ４ｋ）に対応する画像情報の被走査面Ｆへの書き出し開始位置Ｑ１，Ｑ２，Ｑ３，Ｑ４（図１４参照）を１ビームスポットずつ主走査方向Ｘにずらす、又は、隣り合うビームスポットの主走査方向Ｘの両端部が重複するように主走査方向Ｘにずらす構成とされていてもよい。
【０２７０】
図１４は、回転軸線方向Ｚにおける入射角度φ１〜φ４を同一又は略同一とし、隣り合う反射ビーム（Ｒ１，Ｒ２），（Ｒ２，Ｒ３），（Ｒ３，Ｒ４）に対応する画像情報の被走査面Ｆへ書き出し開始位置Ｑ１，Ｑ２，Ｑ３，Ｑ４を主走査方向Ｘにずらした状態を示す概略斜視図である。
【０２７１】
こうすることで、主走査方向Ｘにおける画像情報の書き出し位置の主走査方向Ｘでのずれを抑制することが可能となる。この場合、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４が回転方向Ｅに沿って並設されていてもよい。こうすることで、レーザビームＬ１〜Ｌ４、レーザビームＬｙ１〜Ｌｙ４，Ｌｍ１〜Ｌｍ４，Ｌｃ１〜Ｌｃ４，Ｌｋ１〜Ｌｋ４を反射面３２１への回転軸線方向Ｚにおける同一又は略同一の入射角度φ１〜φ４、入射角度φｙ１〜φｙ４，φｍ１〜φｍ４，φｃ１〜φｃ４，φｋ１〜φｋ４でそれぞれ入射させる構成を容易に実現することが可能となる。
【０２７２】
また、本第１及び第２実施形態では、直線距離ｒが何れも同一又は略同一距離とされていることで、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４の配列構成を容易にすることができる上、変位量Ｈ１，Ｈ２，Ｈ３を容易に算出することが可能となる。しかも、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４の位置調整を容易に行うことが可能となる。
【０２７３】
また、本第１及び第２実施形態では、隣り合うビーム間の回転方向Ｅにおける相対角度θ１２，θ２３，θ３４，相対角度（θｙ１２，θｙ２３，θｙ３４），（θｍ１２，θｍ２３，θｍ３４），（θｃ１２，θｃ２３，θｃ３４），（θｋ１２，θｋ２３，θｋ３４）及び隣り合うビーム間の回転軸線方向Ｚにおける相対角度φ１２，φ２３，φ３４，相対角度（φｙ１２，φｙ２３，φｙ３４），（φｍ１２，φｍ２３，φｍ３４），（φｃ１２，φｃ２３，φｃ３４），（φｋ１２，φｋ２３，φｋ３４）が何れも同一又は略同一角度とされていることで、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４の配列構成をさらに容易にすることができる上、被走査面Ｆにおける走査位置Ｑ１，Ｑ２間の距離Ｈ１２、走査位置Ｑ２，Ｑ３間の距離Ｈ２３、走査位置Ｑ３，Ｑ４間の距離Ｈ３４を容易に同一又は略同一距離にすることができ、これにより、走査距離の変位量Ｈ１，Ｈ２，Ｈ３をさらに容易に算出することが可能となる。
【０２７４】
また、本第１及び第２実施形態では、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４とポリゴンミラー３２０ａ，３２０ｂとの間で反射ミラー等の反射部材を設けない入射光学系３１０ａ，３１０ｂの構造とすることで、入射光学系３１０ａ，３１０ｂの構造を簡素化することが可能となり、それだけ、部品コストを低く抑えることができる。
【０２７５】
また、本第１及び第２実施形態では、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４がそれぞれのレーザビームＬ１〜Ｌ４、レーザビームＬｙ１〜Ｌｙ４，Ｌｍ１〜Ｌｍ４，Ｌｃ１〜Ｌｃ４，Ｌｋ１〜Ｌｋ４を同一平面α３、同一平面α３ｙ，α３ｍ，α３ｃ，α３ｋ上に出射する構成とされていることで、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４の配列構成をさらに容易にすることが可能となる。
【０２７６】
また、本第２実施形態では、各色毎に設けられた光源ＬＳｙ１〜ＬＳｙ４，ＬＳｍ１〜ＬＳｍ４，ＬＳｃ１〜ＬＳｃ４，ＬＳｋ１〜ＬＳｋ４からのレーザビームＬ１〜Ｌ４、レーザビームＬｙ１〜Ｌｙ４，Ｌｍ１〜Ｌｍ４，Ｌｃ１〜Ｌｃ４，Ｌｋ１〜Ｌｋ４をポリゴンミラー３２０ａ，３２０ｂによって偏向走査するので、モノクロの画像形成だけでなく、カラーの画像形成にも対応させることが可能となる。
【０２７７】
また、本第２実施形態では、各色毎の同一平面α３ｙ，α３ｍ，α３ｃ，α３ｋが互いに平行とされているので、光源ＬＳｙ１〜ＬＳｙ４，ＬＳｍ１〜ＬＳｍ４，ＬＳｃ１〜ＬＳｃ４，ＬＳｋ１〜ＬＳｋ４を各色毎に配列する配列構成を容易にすることが可能となる。
【０２７８】
また、本第１及び第２実施形態では、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４は、同一平面α３、同一平面αｙ３，αｍ３，αｃ３，αｋ３を回転軸線方向Ｚに位置調整可能とされていることで、被走査面Ｆへの副走査方向Ｙにおける画像情報の書き込み位置を調整することができる。
【０２７９】
また、本第１及び第２実施形態では、光源部ＬＳａ、光源部ＬＳｙ，ＬＳｍ，ＬＳｃ，ＬＳｋにおいて、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４が、反射面３２１の反射点Ｐを中心にそれぞれ位置調整可能とされていることで、光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４のそれぞれについて、被走査面Ｆへの画像情報の書き込み位置を調整することができる。
【０２８０】
また、本第１及び第２実施形態では、光源部ＬＳａ、光源部ＬＳｙ，ＬＳｍ，ＬＳｃ，ＬＳｋが光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４を一体構造とした光源ユニットとされ、反射面３２１の反射点Ｐを中心に一体的に位置調整可能とされていることで、被走査面Ｆへの画像情報の書き出し位置の調整を一度に行うことが可能となる。
【０２８１】
また、本第１実施形態において、光源ＬＳ１〜ＬＳ４を一体的に設けることで、光源ＬＳ１〜ＬＳ４を一体的に位置調整することができる。本第２実施形態において、光源ＬＳｙ１〜ＬＳｙ４，ＬＳｍ１〜ＬＳｍ４，ＬＳｃ１〜ＬＳｃ４，ＬＳｋ１〜ＬＳｋ４を各色毎に一体的に設けることで、光源ＬＳｙ１〜ＬＳｙ４，ＬＳｍ１〜ＬＳｍ４，ＬＳｃ１〜ＬＳｃ４，ＬＳｋ１〜ＬＳｋ４を各色毎に一体的に位置調整することができる。また、本第２実施形態において、各色の光源部ＬＳｙ，ＬＳｍ，ＬＳｃ，ＬＳｋを全体として一体的に設けることで、各色の光源部ＬＳｙ，ＬＳｍ，ＬＳｃ，ＬＳｋを全体として一体的に位置調整することができる。
【０２８２】
また、本第１及び第２実施形態では、光源部ＬＳａ、光源部ＬＳｙ，ＬＳｍ，ＬＳｃ，ＬＳｋが反射面３２１の反射点Ｐを中心とする同一平面α３、同一平面αｙ３，αｍ３，αｃ３，αｋ３に沿った周方向に移動可能とされていることで、回転方向Ｅにおける入射角度θ１〜θ４、入射角度θｙ１〜θｙ４，θｍ１〜θｍ４，θｃ１〜θｃ４，θｋ１〜θｋ４に対する光源ＬＳ１〜ＬＳ４、光源ＬＳｙ１〜ＬＳｙ４，ＬＳｍ１〜ＬＳｍ４，ＬＳｃ１〜ＬＳｃ４，ＬＳｋ１〜ＬＳｋ４の位置調整を一度に行うことができ、これにより、被走査面Ｆへの主走査方向Ｘにおける画像情報の書き出し位置を一度に調整することができる。
【０２８３】
また、本第１及び第２実施形態では、光源部ＬＳａ、光源部ＬＳｙ，ＬＳｍ，ＬＳｃ，ＬＳｋが反射面３２１の反射点Ｐを中心とする同一平面α３、同一平面αｙ３，αｍ３，αｃ３，αｋ３に直交する平面に沿った周方向に移動可能とされているので、回転軸線方向Ｚにおける入射角度に対する光源ＬＳｙ１〜ＬＳｙ４，ＬＳｍ１〜ＬＳｍ４，ＬＳｃ１〜ＬＳｃ４，ＬＳｋ１〜ＬＳｋ４の位置調整を一度に行うことができ、これにより、被走査面Ｆへの副走査方向Ｙにおける画像情報の書き出し位置を一度に調整することができる。
【符号の説明】
【０２８４】
１００              画像形成装置
３００ａ，３００ｂ  光走査装置
３２０ａ，３２０ｂ  ポリゴンンミラー
３２１              反射面
３４０ａ，３４０ｂ  ビーム検知部
Ｄ                  画像形成装置
Ｅ                  回転方向
Ｆ                  被走査面
Ｈ１                第１変位量
Ｈ２                第２変位量
Ｈ３                第３変位量
Ｌ１〜Ｌ４          レーザビーム
Ｌｃ１〜Ｌｃ４      レーザビーム
Ｌｋ１〜Ｌｋ４      レーザビーム
Ｌｍ１〜Ｌｍ４      レーザビーム
Ｌｙ１〜Ｌｙ４      レーザビーム
ＬＳ１〜ＬＳ４      光源
ＬＳｃ１〜ＬＳｃ４  光源
ＬＳｋ１〜ＬＳｋ４  光源
ＬＳｍ１〜ＬＳｍ４  光源
ＬＳｙ１〜ＬＳｙ４  光源
Ｐ                  反射点（反射位置）
Ｑ１〜Ｑ４          走査位置
Ｒ１〜Ｒ４          レーザビーム
Ｒｃ１〜Ｒｃ４      レーザビーム
Ｒｋ１〜Ｒｋ４      レーザビーム
Ｒｍ１〜Ｒｍ４      レーザビーム
Ｒｙ１〜Ｒｙ４      レーザビーム
Ｔ１〜Ｔ３          書き出し開始タイミング
Ｔｒ                検出タイミング
Ｔｓ                基準書き出し開始タイミング
Ｔａ〜Ｔｄ          書き出し開始タイミング
Ｖａ，Ｖｂ          走査速度
Ｗ                  斜め方向
Ｘ                  主走査方向
Ｙ                  副走査方向
Ｚ                  回転軸線方向
ｔ１                第１時間差
ｔ２                第２時間差
ｔ３                第３時間差
ｔａ                第１時間
ｔｂ                第２時間
ｔｃ                第３時間
θ１〜θ４          入射角度
θｃ１〜θｃ４      入射角度
θｋ１〜θｋ４      入射角度
θｍ１〜θｍ４      入射角度
θｙ１〜θｙ４      入射角度
θ１２，φ１２      相対角度
θ２３，φ２３      相対角度
θ３４，φ３４      相対角度
θｃ１２，φｃ１２  相対角度
θｃ２３，φｃ２３  相対角度
θｃ３４，φｃ３４  相対角度
θｋ１２，φｋ１２  相対角度
θｋ２３，φｋ２３  相対角度
θｋ３４，φｋ３４  相対角度
θｍ１２，φｍ１２  相対角度
θｍ２３，φｍ２３  相対角度
θｍ３４，φｍ３４  相対角度
θｙ１２，φｙ１２  相対角度
θｙ２３，φｙ２３  相対角度
θｙ３４，φｙ３４  相対角度
φ１〜φ４          入射角度
φｃ１〜φｃ４      入射角度
φｋ１〜φｋ４      入射角度
φｍ１〜φｍ４      入射角度
φｙ１〜φｙ４      入射角度
α３                同一平面
α３ｃ              同一平面
α３ｋ              同一平面
α３ｍ              同一平面
α３ｙ              同一平面
【図１】
2013045017.tif 000003
【図２】
2013045017.tif 000004
【図３】
2013045017.tif 000005
【図４】
2013045017.tif 000006
【図５】
2013045017.tif 000007
【図６】
2013045017.tif 000008
【図７】
2013045017.tif 000009
【図８】
2013045017.tif 000010
【図９】
2013045017.tif 000011
【図１０】
2013045017.tif 000012
【図１１】
2013045017.tif 000013
【図１２】
2013045017.tif 000014
【図１３】
2013045017.tif 000015
【図１４】
2013045017.tif 000016
【図１５】
2013045017.tif 000017